(57)【要約】  休止状態にある在圏セルは、その存在を移動局デバイスに認識させるためにディスカバリ信号を送信する。移動局デバイスは、一連のディスカバリ信号候補が設定されて、それらを移動局デバイスがディスカバリ信号バースト・サブフレームでモニタする。特定のディスカバリ信号候補を検出した移動局デバイスは、休止セルに対していくつかの想定を行うことができる。
2017513289.tif 000002
【特許請求の範囲】
【請求項１】
複数のディスカバリ信号候補が設定された第１の回路と、
前記ディスカバリ信号候補のモニタリングを行うようになっている第２の回路と、
前記ディスカバリ信号候補のうちの１つを用いて、検出されたディスカバリ信号を識別するようになっている第３の回路と
を備える、移動局デバイス。
【請求項２】
前記ディスカバリ信号候補は、それらが設定される参照信号の組み合わせの点でそれらの間で異なり、
第１のディスカバリ信号候補は、参照信号のある１つの組み合わせに基づき、
第２のディスカバリ信号候補は、参照信号の異なる組み合わせに基づき、
後で設定されるディスカバリ信号候補は、前に設定されたディスカバリ信号候補の参照信号の前記組み合わせとは異なる参照信号のある１つの組み合わせに基づく、
請求項１に記載の移動局デバイス。
【請求項３】
前記ディスカバリ信号候補は、それらが送信されるディスカバリ信号バースト内のサブフレームのサブセットの点でそれらの間で異なり、
第１のディスカバリ信号候補は、サブフレームのある１つのサブセット上で送信され、
第２のディスカバリ信号候補は、サブフレームの異なるサブセット上で送信されて、
後で設定されるディスカバリ信号候補は、前に設定されたディスカバリ信号候補のサブフレームの前記サブセットとは異なるサブフレームのある１つのサブセット上で送信される、請求項１に記載の移動局デバイス。
【請求項４】
前記ディスカバリ信号候補は、それらが送信される物理リソースブロック内のリソース要素のサブセットの点でそれらの間で異なり、
第１のディスカバリ信号候補は、リソース要素のある１つのサブセット上で送信され、
第２のディスカバリ信号候補は、リソース要素の異なるサブセット上で送信されて、
後で設定されるディスカバリ信号候補は、前に設定されたディスカバリ信号候補のリソース要素の前記サブセットとは異なるリソース要素のある１つのサブセット上で送信される、
請求項１に記載の移動局デバイス。
【請求項５】
前記ディスカバリ信号候補は、それらの送信に用いられる送信電力の点でそれらの間で異なり、
第１のディスカバリ信号候補は、ある１つの所定の送信電力で送信され、
第２のディスカバリ信号候補は、異なる送信電力で送信されて、
後で設定されるディスカバリ信号候補は、前に設定されたディスカバリ信号候補の前記送信電力とは異なるある１つの送信電力で送信される、
請求項１に記載の移動局デバイス。
【請求項６】
前記ディスカバリ信号候補は、それらが送信される周期の点でそれらの間で異なり、前記周期は、ディスカバリ信号バーストの前記周期の倍数であり、
第１のディスカバリ信号候補は、ある１つの所定の周期で送信され、
第２のディスカバリ信号候補は、異なる周期で送信されて、
後で設定されるディスカバリ信号候補は、前に設定されたディスカバリ信号候補の前記周期とは異なる前記ある１つの周期で送信される
請求項１に記載の移動局デバイス。
【請求項７】
前記移動局デバイスは、検出されたディスカバリ信号が一致する前記ディスカバリ信号候補に基づいて、前記検出されたディスカバリ信号を送信している在圏セルの状態またはパラメータのセットを想定する、請求項１に記載の移動局デバイス。
【請求項８】
前記検出されたディスカバリ信号のセルのＲＲＭ測定結果を比較するための回路と、
最大ＲＲＭ測定値をもつ前記セルの識別情報をプライマリ在圏セルへレポートするための別の回路と
をさらに備える、請求項７に記載の移動局デバイス。
【請求項９】
前記検出されたディスカバリ信号のセルのＲＲＭ測定結果を比較するための回路と、
その検出されたディスカバリ信号のＲＲＭ測定結果が設定された閾値を超えて、前記設定されたディスカバリ信号候補のうちの１つに一致するセルのＰＤＣＣＨ／ｅＰＤＣＣＨをモニタするための別の回路と
をさらに備える、請求項７に記載の移動局デバイス。
【請求項１０】
前記ＲＲＭ測定は、ＲＲＭ測定結果の比較を行う前に、前記ディスカバリ信号が一致する前記設定されたディスカバリ信号候補にその値が依存するｏｆｆｓｅｔを用いて行われる、請求項９に記載の移動局デバイス。
【請求項１１】
前記移動局デバイスは、前記設定されたディスカバリ信号候補のうちの１つにそのディスカバリ信号が一致するセルにおけるセル検出のための手順を開始する、請求項７に記載の移動局デバイス。
【請求項１２】
ディスカバリ信号候補の第１のサブセットに一致するディスカバリ信号のＲＲＭ測定結果に関する第１のＲＲＭレポート・フォーマットを準備するための回路と、
前記第１のサブセットの一部ではない前記ディスカバリ信号候補に一致するディスカバリ信号のＲＲＭ測定結果に関する第２のＲＲＭレポート・フォーマットを準備するための別の回路と
をさらに備える、請求項１１に記載の移動局デバイス。
【請求項１３】
前記検出されたディスカバリ信号の前記ＲＲＭ測定値を比較するための回路をさらに備え、
前記移動局デバイスは、最大ＲＲＭ測定値をもつ前記検出されたディスカバリ信号が一致する前記ディスカバリ信号候補に基づいて、前記第１または前記第２のＲＲＭレポート・フォーマットのみを準備する、
請求項１２に記載の移動局デバイス。
【請求項１４】
１つ以上のプロセッサおよび／またはメモリに請求項１に記載の通信方法を行わせるためのコンピュータ実行可能命令を備える非一時的コンピュータ可読媒体。
【請求項１５】
複数のディスカバリ信号候補が設定された第１の回路と、
設定された条件のセットに従ってディスカバリ信号候補を選択するようになっている第２の回路と、
前記選択されたディスカバリ信号候補を準備して送信するようになっている第３の回路と
を備える基地局デバイス。
【請求項１６】
前記ディスカバリ信号候補は、それらが設定される参照信号の組み合わせの点でそれらの間で異なり、
第１のディスカバリ信号候補は、参照信号のある１つの組み合わせに基づき、
第２のディスカバリ信号候補は、参照信号の異なる組み合わせに基づき、
後で設定されるディスカバリ信号候補は、前に設定されたディスカバリ信号候補の参照信号の前記組み合わせとは異なる参照信号のある１つの組み合わせに基づく、請求項１５に記載の基地局デバイス。
【請求項１７】
前記ディスカバリ信号候補は、それらが送信されるディスカバリ信号バースト内のサブフレームのサブセットの点でそれらの間で異なり、
第１のディスカバリ信号候補は、サブフレームのある１つのサブセット上で送信され、
第２のディスカバリ信号候補は、サブフレームの異なるサブセット上で送信されて、
後で設定されるディスカバリ信号候補は、前に設定されたディスカバリ信号候補のサブフレームの前記サブセットとは異なるサブフレームのある１つのサブセット上で送信される、
請求項１５に記載の基地局デバイス。
【請求項１８】
前記ディスカバリ信号候補は、それらが送信される物理リソースブロック内のリソース要素のサブセットの点でそれらの間で異なり、
第１のディスカバリ信号候補は、リソース要素のある１つのサブセット上で送信され、
第２のディスカバリ信号候補は、リソース要素の異なるサブセット上で送信されて、
後で設定されるディスカバリ信号候補は、前に設定されたディスカバリ信号候補のリソース要素の前記サブセットとは異なるリソース要素のある１つのサブセット上で送信される、
請求項１５に記載の基地局デバイス。
【請求項１９】
前記ディスカバリ信号候補は、それらの送信に用いられる送信電力の点でそれらの間で異なり、
第１のディスカバリ信号候補は、ある１つの所定の送信電力で送信され、
第２のディスカバリ信号候補は、異なる送信電力で送信されて、
後で設定されるディスカバリ信号候補は、前に設定されたディスカバリ信号候補の前記送信電力とは異なるある１つの送信電力で送信される、
請求項１５に記載の基地局デバイス。
【請求項２０】
前記ディスカバリ信号候補は、それらが送信される周期の点でそれらの間で異なり、前記周期は、ディスカバリ信号バーストの前記周期の倍数であり、
第１のディスカバリ信号候補は、ある１つの所定の周期で送信され、
第２のディスカバリ信号候補は、異なる周期で送信されて、
後で設定されるディスカバリ信号候補は、前に設定されたディスカバリ信号候補の前記周期とは異なるある１つの周期で送信される、
請求項１５に記載の基地局デバイス。
【請求項２１】
１つ以上のプロセッサおよび／またはメモリに請求項１５に記載の前記通信方法を行わせるためのコンピュータ実行可能命令を備える非一時的コンピュータ可読媒体。
【発明の詳細な説明】
【技術分野】
【０００１】
本文書は、ＬＴＥにおいていくつかの休止セルの存在を移動局デバイスに認識させるために、それらの休止セルによって用いられるディスカバリ信号に焦点を合わせて、ワイヤレス通信システムに適用可能な方法およびプロセスを記載する。
【背景技術】
【０００２】
第３世代パートナーシップ・プロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）は、セルラー移動体通信のための無線アクセス方式および無線ネットワークの進化（以下、「ロング・ターム・エボリューション（ＬＴＥ：Ｌｏｎｇ  Ｔｅｒｍ  Ｅｖｏｌｕｔｉｏｎ）」または「イボルブド・ユニバーサル地上無線アクセス（ＥＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）」と呼ばれる）を絶えず研究している。ＬＴＥでは、マルチキャリア送信方式である直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が、基地局デバイス（以下、「基地局装置」、「基地局」、「ｅＮＢ」、「アクセスポイント」とも呼ばれる）から移動局デバイス（以下、「移動局」、「端末局」、「端末局装置」、「端末装置」、「ＵＥ」、「ユーザ」とも呼ばれる）へのワイヤレス通信のための通信方式として用いられる。基地局デバイスは、１つ以上の構成された在圏セル（以下、「セル」とも呼ばれる）を有し、移動局デバイスとの通信は、それらのセルを通じて行われる。さらに、シングルキャリア送信方式であるシングルキャリア周波数分割多元接続（ＳＣ−ＦＤＭＡ：Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が、移動局デバイスから基地局デバイスへの（上りリンク）ワイヤレス通信のための通信方式として用いられる。
【０００３】
３ＧＰＰでは、ＬＴＥより広い周波数バンドを用いてさらに高速のデータ通信を実現する無線アクセス方式および無線ネットワーク（以下、「ロング・ターム・エボリューション−アドバンスト（ＬＴＥ−Ａ：Ｌｏｎｇ  Ｔｅｒｍ  Ｅｖｏｌｕｔｉｏｎ−Ａｄｖａｎｃｅｄ）」または「アドバンスト・イボルブド・ユニバーサル地上無線アクセス（Ａ−ＥＵＴＲＡ：Ａｄｖａｎｃｅｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）」と呼ばれる）がＬＴＥとの後方互換性を有することを可能にするための研究が行われている。すなわち、ＬＴＥ−Ａの基地局デバイスは、ＬＴＥ−ＡおよびＬＴＥの両方の移動局デバイスとワイヤレス通信を同時に行うことが可能であり、ＬＴＥ−Ａの移動局デバイスは、ＬＴＥ−ＡおよびＬＴＥの両方の基地局デバイスとワイヤレス通信を行うことが可能である。ＬＴＥ−Ａのチャネル構造は、ＬＴＥのものと同じであり、非特許文献１および非特許文献２に記載される。
【０００４】
ＬＴＥでは、基地局デバイスは、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）または拡張型ＰＤＣＣＨ（ｅＰＤＣＣＨまたはＥＰＤＣＣＨ：ｅｎｈａｎｃｅｄ  ＰＤＣＣＨ）を通じて制御情報を送信する。移動局は、移動局に向けられたメッセージを探してＰＤＣＣＨ領域、より具体的には「サーチスペース」と称されるその領域の部分空間をモニタする。個々の移動局デバイスへ具体的にアドレス指定されたメッセージをモニタするためのサーチスペースは、ユーザ・サーチスペース（ＵＳＳ：Ｕｓｅｒ  Ｓｅａｒｃｈ  Ｓｐａｃｅ）と称される。特定の移動局デバイスまたはそれらの群へアドレス指定されたメッセージを探すべくモニタするためのサーチスペースは、共通サーチスペース（ＣＳＳ：Ｃｏｍｍｏｎ  Ｓｅａｒｃｈ  Ｓｐａｃｅ）と称される。ｅＰＤＣＣＨのケースでは、移動局デバイスは、個々の移動局デバイスへ具体的にアドレス指定されたメッセージを探してｅＰＤＣＣＨ領域の部分空間（ｅＰＤＣＣＨ  ＵＳＳ）をモニタする。基地局デバイスは、非特許文献３に記載されるように、無線リソース制御（ＲＲＣ：Ｒａｄｉｏ  Ｒｅｓｏｕｒｃｅ  Ｃｏｎｔｒｏｌ）メッセージの使用を通じて移動局デバイスを設定できる。
【０００５】
ＬＴＥは、移動局デバイスが達成できるピーク・データレートを増加させるために２つ以上の在圏セルをアグリゲートすることを可能にする。典型的に、移動局デバイスは、プライマリセルとして知られる、１つだけのセルのＰＵＳＣＨ（物理上りリンク制御チャネル：Ｐｈｙｓｉｃａｌ  Ｕｐｌｉｎｋ  Ｃｏｎｔｒｏｌ  Ｃｈａｎｎｅｌ）を通じてその上りリンク制御情報を送信するが、ＬＴＥは、移動局デバイスがこの情報をセカンダリセルにも送信することを可能にする方法を検討している。
【０００６】
いくつかのケースでは、ネットワークのある一定の負荷条件の下でいくつかのセルが非アクティブ化されて、休止状態に入ることができる。これらのセルは、必要なときに能力を補うために再アクティブ化できる。休止セルは、移動局デバイスがそれらの存在を検出することを可能にするためにディスカバリ信号を周期的にブロードキャストする。
【先行技術文献】
【非特許文献】
【０００７】
【非特許文献１】第３世代パートナーシップ・プロジェクト；技術仕様グループ無線アクセス・ネットワーク；イボルブド・ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）；物理チャネルおよび変調（リリース１１）、３ＧＰＰ  ＴＳ３６．２１１  ｖ１１．５．０．（２０１３−１２）＜ＵＲＬ：ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１１．ｈｔｍ＞
【非特許文献２】第３世代パートナーシップ・プロジェクト；技術仕様グループ無線アクセス・ネットワーク；イボルブド・ユニバーサル地上無線アクセス（Ｅ−ＵＴＲＡ）；物理レイヤ手順（リリース１１）、３ＧＰＰ  ＴＳ３６．２１３  ｖ１１．５．０．（２０１３−１２）＜ＵＲＬ：ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１３．ｈｔｍ＞
【非特許文献３】第３世代パートナーシップ・プロジェクト；技術仕様グループ無線アクセス・ネットワーク；イボルブド・ユニバーサル地上無線アクセス（Ｅ−ＵＴＲＡ）；無線リソース制御（ＲＲＣ：Ｒａｄｉｏ  Ｒｅｓｏｕｒｃｅ  Ｃｏｎｔｒｏｌ）；プロトコル仕様（リリース１１）、３ＧＰＰ  ＴＳ３６．３３１  ｖ１１．６．０．（２０１３−１２）＜ＵＲＬ：ｈｔｔｐ：／／ｗｗｗ．３ｇｐｐ．ｏｒｇ／ｆｔｐ／Ｓｐｅｃｓ／ｈｔｍｌ−ｉｎｆｏ／３６３３１．ｈｔｍ＞
【発明の概要】
【発明が解決しようとする課題】
【０００８】
先行技術では、在圏セルは、低エネルギー消費モード（ｏｆｆ状態、または休止）に入ることが可能である。休止状態にあるセルは、通常の信号を送信せず、省エネルギーを達成して、近接セルに干渉することを回避する。しかしながら、移動局デバイスがそれらの周囲における休止セルの存在をどのように検出できて、移動局デバイスが（休止セルをウェイクアップさせるか否かの決定をトリガして）そのセルを別のアクティブ・セルへレポートしたいと思うか、またはセルがすでにそれを行う過程にあれば、移動局デバイスが休止セルがウェイクアップすることを望むかどうかをどのように決定できるかは不明確である。
【０００９】
本発明は、上記の点を考慮してなされ、その目的は、移動局デバイスが休止セルを検出できて、休止セルがありうる異なる状態間をおおよそ見分けることができるシナリオを可能にする移動局デバイス、基地局デバイス、ワイヤレス通信システム、ワイヤレス通信方法および集積回路を提供することである。
【課題を解決するための手段】
【００１０】
（１）本発明は、上記の問題を解決するためになされ、本発明の一実施形態によれば、複数のディスカバリ信号候補が設定された第１の回路と、ディスカバリ信号候補のモニタリングを行うようになっている第２の回路と、ディスカバリ信号候補のうちの１つを用いて検出されたディスカバリ信号を識別するようになっている第３の回路とを備える移動局デバイスが提供される。
【００１１】
（２）本発明の別の態様による移動局デバイスは、上記の移動局デバイスにおいて、ディスカバリ信号候補が、それらが設定される参照信号の組み合わせの点でそれらの間で異なり、第１のディスカバリ信号候補は、参照信号のある１つの組み合わせに基づき、第２のディスカバリ信号候補は、参照信号の異なる組み合わせに基づき、後で設定されるディスカバリ信号候補は、前に設定されたディスカバリ信号候補の参照信号の組み合わせとは異なる参照信号のある１つの組み合わせに基づくように構成される。
【００１２】
（３）本発明の別の態様による移動局デバイスは、上記の移動局デバイスにおいて、ディスカバリ信号候補が、それらが送信されるディスカバリ信号バースト内のサブフレームのサブセットの点でそれらの間で異なり、第１のディスカバリ信号候補は、サブフレームのある１つのサブセット上で送信され、第２のディスカバリ信号候補は、サブフレームの異なるサブセット上で送信されて、後で設定されるディスカバリ信号候補は、前に設定されたディスカバリ信号候補のサブフレームのサブセットとは異なるサブフレームのある１つのサブセット上で送信されるように構成される。
【００１３】
（４）本発明の別の態様による移動局デバイスは、上記の移動局デバイスにおいて、ディスカバリ信号候補が、それらが送信される物理リソースブロック内のリソース要素のサブセットの点でそれらの間で異なり、第１のディスカバリ信号候補は、リソース要素のある１つのサブセット上で送信され、第２のディスカバリ信号候補は、リソース要素の異なるサブセット上で送信されて、後で設定されるディスカバリ信号候補は、前に設定されたディスカバリ信号候補のリソース要素のサブセットとは異なるリソース要素のある１つのサブセット上で送信されるように構成される。
【００１４】
（５）本発明の別の態様による移動局デバイスは、上記の移動局デバイスにおいて、ディスカバリ信号候補が、それらの送信に用いられる送信電力の点でそれらの間で異なり、第１のディスカバリ信号候補は、ある１つの所定の送信電力で送信され、第２のディスカバリ信号候補は、異なる送信電力で送信されて、後で設定されるディスカバリ信号候補は、前に設定されたディスカバリ信号候補の送信電力とは異なるある１つの送信電力で送信されるように構成される。
【００１５】
（６）本発明の別の態様による移動局デバイスは、上記の移動局デバイスにおいて、ディスカバリ信号候補が、それらが送信される周期の点でそれらの間で異なり、周期は、ディスカバリ信号バーストの周期の倍数であり、第１のディスカバリ信号候補は、ある１つの所定の周期で送信され、第２のディスカバリ信号候補は、異なる周期で送信されて、後で設定されるディスカバリ信号候補は、前に設定されたディスカバリ信号候補の周期とは異なるある１つの周期で送信されるように構成される。
【００１６】
（７）本発明の別の態様による移動局デバイスは、上記の移動局デバイスにおいて、移動局デバイスが、検出されたディスカバリ信号が一致するディスカバリ信号候補に基づいて、検出されたディスカバリ信号を送信している在圏セルの状態またはパラメータのセットを想定するように構成される。
【００１７】
（８）本発明の別の態様による移動局デバイスは、上記の移動局デバイスが、検出されたディスカバリ信号のセルのＲＲＭ測定結果を比較するための回路と、最大ＲＲＭ測定値をもつセルの識別情報をプライマリ在圏セルへレポートするための別の回路とをさらに備えるように構成される。
【００１８】
（９）本発明の別の態様による移動局デバイスは、上記の移動局デバイスが、検出されたディスカバリ信号のセルのＲＲＭ測定結果を比較するための回路と、その検出されたディスカバリ信号のＲＲＭ測定結果が設定された閾値を超えて、設定されたディスカバリ信号候補のうちの１つに一致するセルのＰＤＣＣＨ／ＥＰＤＣＣＨをモニタするための別の回路とをさらに備えるように構成される。
【００１９】
（１０）本発明の別の態様による移動局デバイスは、上記の移動局デバイスにおいて、ＲＲＭ測定が、ＲＲＭ測定結果の比較を行う前に、ディスカバリ信号が一致する設定されたディスカバリ信号候補にその値が依存するｏｆｆｓｅｔを用いて行われるように構成される。
【００２０】
（１１）本発明の別の態様による移動局デバイスは、上記の移動局デバイスにおいて、移動局デバイスが、設定されたディスカバリ信号候補のうちの１つにそのディスカバリ信号が一致するセルにおけるセル検出のための手順を開始するように構成される。
【００２１】
（１２）本発明の別の態様による移動局デバイスは、上記の移動局デバイスが、ディスカバリ信号候補の第１のサブセットに一致するディスカバリ信号のＲＲＭ測定結果に関する第１のＲＲＭレポート・フォーマットを準備するための回路と、第１のサブセットの一部ではないディスカバリ信号候補に一致するディスカバリ信号のＲＲＭ測定結果に関する第２のＲＲＭレポート・フォーマットを準備するための別の回路とをさらに備えるように構成される。
【００２２】
（１３）本発明の別の態様による移動局デバイスは、上記の移動局デバイスが、検出されたディスカバリ信号のＲＲＭ測定値を比較するための回路をさらに備えるように構成され、移動局デバイスは、最大ＲＲＭ測定値をもつ検出されたディスカバリ信号が一致するディスカバリ信号候補に基づいて、第１または第２のＲＲＭレポート・フォーマットのみを準備する。
【００２３】
（１４）本発明の別の態様による移動局デバイスは、上記の移動局デバイスにおいて、非一時的コンピュータ可読媒体が、１つ以上のプロセッサおよび／またはメモリに上記の通信方法を行わせるためのコンピュータ実行可能命令を備えるように構成される。
【００２４】
（１５）本発明の一実施形態によれば、複数のディスカバリ信号候補が設定された第１の回路と、設定された条件のセットに従ってディスカバリ信号候補を選択するようになっている第２の回路と、選択されたディスカバリ信号候補を準備して送信するようになっている第３の回路とを備える基地局デバイスが提供される。
【００２５】
（１６）本発明の別の態様による基地局デバイスは、上記の基地局デバイスにおいて、ディスカバリ信号候補が、それらが設定される参照信号の組み合わせの点でそれらの間で異なり、第１のディスカバリ信号候補は、参照信号のある１つの組み合わせに基づき、第２のディスカバリ信号候補は、参照信号の異なる組み合わせに基づき、後で設定されるディスカバリ信号候補は、前に設定されたディスカバリ信号候補の参照信号の組み合わせとは異なる参照信号のある１つの組み合わせに基づくように構成される。
【００２６】
（１７）本発明の別の態様による基地局デバイスは、上記の基地局デバイスにおいて、ディスカバリ信号候補が、それらが送信されるディスカバリ信号バースト内のサブフレームのサブセットの点でそれらの間で異なり、第１のディスカバリ信号候補は、サブフレームのある１つのサブセット上で送信され、第２のディスカバリ信号候補は、サブフレームの異なるサブセット上で送信されて、後で設定されるディスカバリ信号候補は、前に構成されたディスカバリ信号候補のサブフレームのサブセットとは異なるサブフレームのある１つのサブセット上で送信されるように構成される。
【００２７】
（１８）本発明の別の態様による基地局デバイスは、上記の基地局デバイスにおいて、ディスカバリ信号候補が、それらが送信される物理リソースブロック内のリソース要素のサブセットの点でそれらの間で異なり、第１のディスカバリ信号候補は、リソース要素のある１つのサブセット上で送信され、第２のディスカバリ信号候補は、リソース要素の異なるサブセット上で送信されて、後で設定されるディスカバリ信号候補は、前に設定されたディスカバリ信号候補のリソース要素のサブセットとは異なるリソース要素のある１つのサブセット上で送信されるように構成されるように構成される。
【００２８】
（１９）本発明の別の態様による基地局デバイスは、上記の基地局デバイスにおいて、ディスカバリ信号候補が、それらの送信に用いられる送信電力の点でそれらの間で異なり、第１のディスカバリ信号候補は、ある１つの所定の送信電力で送信され、第２のディスカバリ信号候補は、異なる送信電力で送信されて、後で設定されるディスカバリ信号候補は、前に設定されたディスカバリ信号候補の送信電力とは異なるある１つの送信電力で送信されるように構成される。
【００２９】
（２０）本発明の別の態様による基地局デバイスは、上記の基地局デバイスにおいて、ディスカバリ信号候補が、それらが送信される周期の点でそれらの間で異なり、周期は、ディスカバリ信号バーストの周期の倍数であり、第１のディスカバリ信号候補は、ある１つの所定の周期で送信され、第２のディスカバリ信号候補は、異なる周期で送信されて、後で設定されるディスカバリ信号候補は、前に構成されたディスカバリ信号候補の周期とは異なるある１つの周期で送信されるように構成される。
【００３０】
（２１）本発明の別の態様による基地局デバイスは、上記の基地局デバイスにおいて、非一時的コンピュータ可読媒体が、１つ以上のプロセッサおよび／またはメモリに上記の通信方法を行わせるためのコンピュータ実行可能命令を備えるように構成される。
【発明の効果】
【００３１】
本発明によれば、移動局デバイスは、休止セルの存在を検出して、休止セルがありうる異なる状態間をおおよそ見分けることが可能である。
【図面の簡単な説明】
【００３２】
【図１】第１の実施形態によるワイヤレス通信システムの概念図である。
【図２】本発明による下りリンクＯＦＤＭ構造の構成例を示す図である。
【図３】本発明によるその定義された参照信号のうちのいくつかをもつレガシー物理リソースブロックの例を示す図である。
【図４】本発明によるポジショニング参照信号（ＰＲＳ：ｐｏｓｉｔｉｏｎｉｎｇ  ｒｅｆｅｒｅｎｃｅ  ｓｉｇｎａｌ）をもつレガシー物理リソースブロックの例を示す図である。
【図５】本発明によるプライマリおよび同期信号をもつ下りリンクＯＦＤＭ構造の構成例を示す図である。
【図６】本発明による上りリンクＯＦＤＭ構造の構成例を示す図である。
【図７】本発明による物理上りリンク・リソースのＰＵＣＣＨおよびＰＵＳＣＨへのアロケーションを示す図である。
【図８】本発明によるＴＤＤワイヤレス通信システムにおける無線フレームの構成の例を示す図である。
【図９】本発明によるＴＤＤワイヤレス通信システムにおいて可能な上り下りリンク設定を示す表である。
【図１０】本発明による移動局デバイス構成の例を示す図である。
【図１１】本発明による基地局デバイス構成の例を示す図である。
【図１２】本発明によるワイヤレス通信システムにおけるＰＤＣＣＨのためのＵＥ固有および共通サーチスペース設定の例を示す表である。
【図１３】本発明による物理ＥＰＤＣＣＨ−ＰＲＢセットのその論理ＥＣＣＥへのマッピングの例を示す図である。
【図１４】本発明によるワイヤレス通信システムにおけるｅＰＤＣＣＨのためのＵＥ固有サーチスペース設定の例を示す表である。
【図１５】本発明によるセルアグリゲーション処理の例を示す図である。
【図１６】本発明によるＴＤＤ−ＦＤＤアグリゲートされたワイヤレス通信システムの例を示す図である。
【図１７】本発明によるディスカバリ信号設定の明示的な指標に用いることができる例示的な情報要素である。
【図１８】本発明に従ってそのディスカバリ信号が検出された在圏セルに関して、移動局デバイスが休止セルｏｎ／ｏｆｆ想定を引き出すプロセスを記述するフローチャート図である。
【発明を実施するための形態】
【００３３】
以下では、本発明の実施形態が図面を参照して詳細に記載される。最初に、本発明による物理チャネルが記載される。
【００３４】
図１は、例示的な通信システムを示す。基地局デバイス１は、物理下りリンク制御チャネル（ＰＤＣＣＨ）または拡張型ＰＤＣＣＨ（ｅＰＤＣＣＨ）３を通じて移動局デバイス２へ制御情報を送信する。この制御情報は、データ４の下りリンク送信およびデータ６の上りリンク送信を支配する。
【００３５】
ＰＤＣＣＨで、およびｅＰＤＣＣＨで送信される情報メッセージは、多くのＲＮＴＩ（無線ネットワーク一時識別子：Ｒａｄｉｏ  Ｎｅｔｗｏｒｋ  Ｔｅｍｐｏｒａｒｙ  Ｉｄｅｎｔｉｆｉｅｒ）のうちの１つを用いてスクランブルされる。用いられるスクランブルコードは、メッセージの機能を区別するために役立ち、例えば、ページング（Ｐ−ＲＮＴＩ）、ランダムアクセス（ＲＡ−ＲＮＴＩ）、スケジューリングのようなセル関連動作（Ｃ−ＲＮＴＩ）、セミパーシステントスケジューリング（ＳＰＳ−ＲＮＴＩ）、システム情報（ＳＩ−ＲＮＴＩ）などのためのＲＮＴＩがある。
【００３６】
基地局デバイス１および移動局デバイス２は、一連の予め定義されたパラメータおよび選択された送信モード（ＴＭ：ｔｒａｎｓｍｉｓｓｉｏｎ  ｍｏｄｅ）に対応する想定に従って互いに通信する。種々のシナリオおよびユースケースに及ぶ複数の選択肢を提示するために送信モード１から１０が定義された。例えば、ＴＭ１は単一アンテナ送信、ＴＭ２は送信ダイバーシティ、ＴＭ３は開ループ空間多重、ＴＭ４は閉ループ空間多重、ＴＭ５はマルチユーザＭＩＭＯ（多入力・多出力：Ｍｕｌｔｉｐｌｅ  Ｉｎｐｕｔ  Ｍｕｌｔｉｐｌｅ  Ｏｕｔｐｕｔ）、ＴＭ６はシングルレイヤ・コードブックベース・プリコーディング、ＴＭ７はＤＭ−ＲＳを用いたシングルレイヤ送信、ＴＭ８はＤＭ−ＲＳを用いたデュアルレイヤ送信、ＴＭ９はＤＭ−ＲＳを用いたマルチレイヤ送信、およびＴＭ１０はＤＭ−ＲＳを用いた８レイヤ送信に対応する。
【００３７】
所定の在圏セルに対して、移動局デバイスが、送信モード１〜９に従ってＰＤＳＣＨデータ送信を受信するように構成され、上位レイヤ・パラメータｅｐｄｃｃｈ−ＳｔａｒｔＳｙｍｂｏｌ−ｒ１１が設定された場合、ＥＰＤＣＣＨのための開始ＯＦＤＭシンボル「ｌＥＰＤＣＣＨｓｔａｒｔ」がこのパラメータによって確定される。そうでない場合には、ＥＰＤＣＣＨのための開始ＯＦＤＭシンボル「ｌＥＰＤＣＣＨｓｔａｒｔ」は、バンド幅内に１０より多いリソースブロックが存在するとき、ＰＤＣＣＨ領域に存在するＰＣＦＩＣＨ（物理制御フォーマット・インジケータ・チャネル：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）中に存在するＣＦＩ（制御フォーマット・インジケータ：Ｃｏｎｔｒｏｌ  Ｆｏｒｍａｔ  Ｉｎｄｉｃａｔｏｒ）によって与えられ、「ｌＥＰＤＣＣＨｓｔａｒｔ」は、バンド幅内に１０以下のリソースブロックが存在するときには、所定の在圏セルのサブフレームにおけるＣＦＩ値＋１によって与えられる。
【００３８】
所定の在圏セルに対して、ＵＥが、送信モード１０に従ってＰＤＳＣＨデータ送信を受信するように上位レイヤ・シグナリングによって構成された場合、ＥＰＤＣＣＨ−ＰＲＢセットごとに、サブフレーム「ｋ」でＥＰＤＣＣＨをモニタするための開始ＯＦＤＭシンボルは、上位レイヤ・パラメータｐｄｓｃｈ−Ｓｔａｒｔ−ｒ１１から次のように確定される、すなわち、
【００３９】
−パラメータｐｄｓｃｈ−Ｓｔａｒｔ−ｒ１１の値が１、２、３または４である場合、「ｌ’ＥＰＤＣＣＨｓｔａｒｔ」は、そのパラメータによって与えられる。
【００４０】
−そうでない場合には、「ｌ’ＥＰＤＣＣＨｓｔａｒｔ」は、バンド幅内に１０より多いリソースブロックが存在するとき、所定の在圏セルのサブフレーム「ｋ」におけるＣＦＩ値によって与えられ、「ｌ’ＥＰＤＣＣＨｓｔａｒｔ」は、バンド幅内に１０以下のリソースブロックが存在するときには、所定の在圏セルのサブフレーム「ｋ」におけるＣＦＩ値＋１によって与えられる。
【００４１】
−サブフレーム「ｋ」が上位レイヤ・パラメータｍｂｓｆｎ−ＳｕｂｆｒａｍｅＣｏｎｆｉｇＬｉｓｔ−ｒ１１によって示されるか、またはサブフレーム「ｋ」がＴＤＤ動作のためのサブフレーム１または６である場合、「ｌＥＰＤＣＣＨｓｔａｒｔ」＝ｍｉｎ（２，「ｌ’ＥＰＤＣＣＨｓｔａｒｔ」）
【００４２】
−そうでない場合には、「ｌＥＰＤＣＣＨｓｔａｒｔ」＝「ｌ’ＥＰＤＣＣＨｓｔａｒｔ」。
【００４３】
異なるＴＭは、異なるアンテナポートで送信される。１つのアンテナポート上のシンボルが伝えられるチャネルの大規模特性を他のアンテナポート上のシンボルが伝えられるチャネルから推定できる場合、２つのアンテナポートは、準コロケートされている（ｑｕａｓｉ  ｃｏ−ｌｏｃａｔｅｄ）と言われる。大規模特性は、遅延スプレッド、ドップラー・スプレッド、ドップラー・シフト、平均利得、および平均遅延のうちの１つ以上を含む。移動局デバイスは、基地局デバイスによって別に指定されない限り、２つのアンテナポートが準コロケートされていることを想定しない。
【００４４】
ある１つの在圏セルに対して送信モード１０に設定された移動局デバイスは、ＰＤＳＣＨまたはｅＰＤＣＣＨを復号するために上位レイヤ・パラメータｑｃｌ−Ｏｐｅｒａｔｉｏｎによりその在圏セルに対して２つの準コロケーション・タイプのうちの１つが設定される。
【００４５】
−タイプＡ：移動局デバイスは、在圏セルのアンテナポート０〜３（ＣＲＳに対応）、７〜２２（ＵＥ固有ＲＳおよびＣＳＩ−ＲＳ）ならびに１０７〜１１０（ｅＰＤＣＣＨと関連付けられたＤＭ−ＲＳに対応）が遅延スプレッド、ドップラー・スプレッド、ドップラー・シフト、および平均遅延に関して準コロケートされていると想定してもよい。
【００４６】
−タイプＢ：移動局デバイスは、アンテナポート１５〜２２（上位レイヤ・パラメータｑｃｌ−ＣＳＩ−ＲＳ−ＣｏｎｆｉｇＮＺＰＩｄ−ｒ１１によって識別されるＣＳＩ−ＲＳリソース設定に対応）、アンテナポート７〜１４（ＵＥ固有ＲＳ）、およびアンテナポート１０７〜１１０（ｅＰＤＣＣＨと関連付けられたＤＭ−ＲＳに対応）が遅延スプレッド、ドップラー・スプレッド、ドップラー・シフト、および平均遅延に関して準コロケートされていると想定してもよい。
【００４７】
所定の在圏セルに対して送信モード１０に設定された移動局は、ＰＤＳＣＨまたはｅＰＤＣＣＨを復号するために基地局デバイスにより４つまでのパラメータセットを設定できる。移動局デバイスは、タイプＢ準コロケーション・タイプが設定された場合、ＰＤＳＣＨ／ｅＰＤＣＣＨ  ＲＥマッピングを確定するため、およびアンテナポートの準コロケーションを確定するために「ＰＤＳＣＨ  ＲＥマッピングおよびＱｕａｓｉ−Ｃｏ−Ｌｏｃａｔｉｏｎインジケータ」フィールド（ＰＱＩ：ＰＤＳＣＨ  ＲＥ  Ｍａｐｐｉｎｇ  ａｎｄ  Ｑｕａｓｉ−Ｃｏ−Ｌｏｃａｔｉｏｎ  Ｉｎｄｉｃａｔｏｒ）の値によるパラメータセットを用いる。ＰＱＩは、４つの設定可能なパラメータセットのためのインデックスとして機能する。
【００４８】
ＰＱＩによって参照されるパラメータセットは、ｃｒｓ−ＰｏｒｔｓＣｏｕｎｔ−ｒ１１（アンテナポートの数）、ｃｒｓ−ＦｒｅｑＳｈｉｆｔ−ｒ１１（ＣＲＳの周波数シフト）、ｍｂｓｆｎ−ＳｕｂｆｒａｍｅＣｏｎｆｉｇＬｉｓｔ−ｒ１１（下りリンクでＭＢＳＦＮのために予約されたサブフレームの定義）、ｃｓｉ−ＲＳ−ＣｏｎｆｉｇＺＰＩｄ−ｒ１１（移動局デバイスがゼロ送信電力を想定する対象となるＣＳＩ−ＲＳリソース設定のアイデンティフィケーション）、ｐｄｓｃｈ−Ｓｔａｒｔ−ｒ１１（開始ＯＦＤＭシンボル）およびｑｃｌ−ＣＳＩ−ＲＳ−ＣｏｎｆｉｇＮＺＰＩｄ−ｒ１１（ＰＤＳＣＨ／ｅＰＤＣＣＨアンテナポートと準コロケートされたＣＳＩ−ＲＳリソース）を含む。
【００４９】
典型的なネットワークでは、複数の基地局デバイスのカバレッジがいくつかのエリアで重なり合う。システムは、移動局デバイスが、ある１つの基地局デバイスから受信する前にその基地局デバイスへのハンドオーバを行う必要なしに、これらの基地局デバイスのいずれかによって透過的にサービスされることを可能にしてもよい。在圏セルにおける基地局デバイスは、ＲＲＣメッセージを通じて、重なり合う基地局デバイスの状態に適合する準コロケーション・パラメータセットを設定する。重なり合う基地局デバイスは、移動局デバイスが正しいＰＱＩパラメータセットに切り替えた場合、サービスの中断なしに移動局デバイスへ送信できる。
【００５０】
基地局デバイス１０は、休止状態にある。休止状態では、基地局デバイス１０は、通常通りには信号を送信しない。いくつかの所定の時間に、基地局デバイス１０は、近くの移動局デバイスに基地局デバイス１０の存在を発見させるように意図された信号（本明細書では「ディスカバリ信号」または「ＤＳ」と呼ばれる、図ではディスカバリ信号７）をブロードキャストする。移動局デバイス２は、潜在的なディスカバリ信号を聞いてＲＲＭ（無線リソース管理）測定（例えば、ＲＳＲＰ（参照信号受信電力：Ｒｅｆｅｒｅｎｃｅ  Ｓｉｇｎａｌ  Ｒｅｃｅｉｖｅｄ  Ｐｏｗｅｒ）またはＲＳＲＱ（参照信号受信品質：Ｒｅｆｅｒｅｎｃｅ  Ｓｉｇｎａｌ  Ｒｅｃｅｉｖｅｄ  Ｑｕａｌｉｔｙ））を行うように構成される。
【００５１】
参照信号受信電力（ＲＳＲＰ）は、考慮される測定周波数バンド幅内でディスカバリ信号の参照信号を運ぶリソース要素の電力寄付（「Ｗ」単位）の線形平均として定義される。ＲＳＲＰ確定には、ディスカバリ信号固有のＲＳが用いられるものとする（例えば、ＰＳＳ、ＳＳＳ、ＣＲＳ、ＣＳＩ−ＲＳ、ＰＲＳなど）。ＲＳＲＰのための参照点は、ＵＥのアンテナ・コネクタであるものとする。ＵＥによって受信機のダイバーシティが使用中であれば、レポート値は、個々のダイバーシティ・ブランチのいずれの対応するＲＳＲＰよりも低くはないものとする。
【００５２】
参照信号受信品質（ＲＳＲＱ）は、Ｎ＊ＲＳＲＰ／（Ｅ−ＵＴＲＡキャリアのＲＳＳＩ）比として定義され、ここで、Ｎは、Ｅ−ＵＴＲＡキャリアのＲＳＳＩ測定バンド幅のＲＢの数である。分子および分母における測定は、リソースブロックの同じセットにわたって行われるものとする。Ｅ−ＵＴＲＡキャリア受信信号強度インジケータ（ＲＳＳＩ：Ｒｅｃｅｉｖｅｄ  Ｓｉｇｎａｌ  Ｓｔｒｅｎｇｔｈ  Ｉｎｄｉｃａｔｏｒ）は、測定バンド幅において、参照シンボルを含んだＯＦＤＭシンボルのみで観測される、同一チャネルの在圏および非在圏セル、近接チャネルの干渉、熱雑音などを含む、すべてのソースからのＵＥによる全受信電力（「Ｗ」単位）のＮ個のリソースブロックにわたる線形平均を備える。ＲＳＲＱ測定を行うためのある一定のサブフレームを上位レイヤ・シグナリングが示す場合には、ＲＳＳＩは、示されたサブフレーム中のすべてのＯＦＤＭシンボルにわたって測定される。ＲＳＲＱのための参照点は、ＵＥのアンテナ・コネクタであるものとする。ＵＥによって受信機のダイバーシティが使用中であれば、レポート値は、個々のダイバーシティ・ブランチのいずれの対応するＲＳＲＱよりも低くはないものとする。
【００５３】
基地局デバイス１０は、いくつかの予め定義された瞬間にディスカバリ信号をブロードキャストすると予想される。例えば、基地局デバイス１０は、Ｍ個のサブフレームの周期で生じるＬ個のサブフレームの一群（「バースト」、または「ディスカバリ・バースト」）のうちの１つ以上でディスカバリ信号をブロードキャストする。移動局デバイス２は、いくつかまたはすべてのバーストのＬ個のサブフレームのうちのいくつかまたはすべてでディスカバリ信号をモニタするように構成される。
【００５４】
移動局デバイス２は、ディスカバリ信号の測定されたＲＲＭが設定された閾値に等しいか、もしくはそれを超えるとき、またはある一定の条件を満たすときに、休止セルが首尾よく検出されたと見做す。移動局デバイス２は、測定の結果を基地局デバイス１へレポートしてもよく、基地局デバイス１０をアクティブ化する（以下、ウェイクアップまたは始動するとも言われる）ようにその結果が基地局デバイス１をトリガしてもよい。
【００５５】
図２は、下りリンクサブフレームの構成例を示す。下りリンク送信は、ＯＦＤＭＡを通じて行われる。下りリンクサブフレームは、１ｍｓの長さを有し、ＰＤＣＣＨ、ｅＰＤＣＣＨおよびＰＤＳＣＨに分割されると概括的に考えることができる。各サブフレームは、２つのスロットからなる。各スロットは、０．５ｍｓの長さを有する。スロットは、時間領域における複数のＯＦＤＭシンボルにさらに分割され、ＯＦＤＭシンボルの各１つは、周波数領域における複数のサブキャリアからなる。ＬＴＥシステムでは、１つのＲＢが１２個のサブキャリアと７つ（または６つ）のＯＦＤＭシンボルとを含む。各ＯＦＤＭシンボルの各サブキャリアがリソース要素（ＲＥ：Ｒｅｓｏｕｒｃｅ  Ｅｌｅｍｅｎｔ）である。スロット中に存在するすべてのＲＥのグルーピングがリソースブロック（ＲＢ：Ｒｅｓｏｕｒｃｅ  Ｂｌｏｃｋ）を構成する。サブフレーム中に存在する２つの物理的に連続したリソースブロックのグルーピングが物理リソースブロック・ペア（ＰＲＢペア：Ｐｈｙｓｉｃａｌ  Ｒｅｓｏｕｒｃｅ  Ｂｌｏｃｋ  ｐａｉｒ）を構成する。ＰＲＢペア（２つのスロット）は、通常のＣＰ（サイクリックプレフィックス：ｃｙｃｌｉｃ  ｐｒｅｆｉｘ）のケースでは１２サブキャリア×１４ＯＦＤＭシンボル、および拡張されたＣＰのケースでは１２サブキャリア×１２ＯＦＤＭシンボルを備える。ＰＤＣＣＨ領域は、フレームの最初の１つから４つのＯＦＤＭシンボルのＲＥを占有する。
【００５６】
ＰＲＢペアのＰＤＣＣＨ領域は、最初の１、２、３または４つのＯＦＤＭシンボルに及ぶ。残りのＯＦＤＭシンボルは、データ領域（ＰＤＳＣＨ、物理下りリンク共有チャネル：Ｐｈｙｓｉｃａｌ  Ｄｏｗｎｌｉｎｋ  Ｓｈａｒｅｄ  Ｃｈａｎｎｅｌ）として用いられる。ＰＤＣＣＨは、ＣＲＳとともに、アンテナポート０〜３で送信される。
【００５７】
ＣＲＳは、ＰＤＣＣＨ領域およびデータ領域の長さに依存しないパターンに従ってＰＲＢにわたってＲＥに割り当てられる。ＰＲＢ中のＣＲＳの数は、送信用に設定されたアンテナの数に依存する。
【００５８】
物理制御フォーマット・インジケータ・チャネル（ＰＣＦＩＣＨ）は、最初のＯＦＤＭシンボル中でＣＲＳには割り当てられないＲＥに割り当てられる。ＰＣＦＩＣＨは、４つのリソース要素群（ＲＥＧ：Ｒｅｓｏｕｒｃｅ  Ｅｌｅｍｅｎｔ  Ｇｒｏｕｐ）からなり、各ＲＥＧは、４つのＲＥからなる。各ＲＥＧは、物理下りリンク制御チャネル（ＰＤＣＣＨ）の長さに対応する、１から３まで（またはバンド幅によっては２から４まで）の値を含む。
【００５９】
物理ハイブリッドＡＲＱインジケータ・チャネル（ＰＨＩＣＨ：Ｐｈｙｓｉｃａｌ  Ｈｙｂｒｉｄ−ＡＲＱ  Ｉｎｄｉｃａｔｏｒ  Ｃｈａｎｎｅｌ、ここでＡＲＱ：Ａｕｔｏｍａｔｉｃ  Ｒｅｐｅａｔ−ｒｅＱｕｅｓｔは、自動再送要求を表す）は、最初のシンボル中でＣＲＳまたはＰＣＦＩＣＨには割り当てられないＲＥに割り当てられる。ＰＨＩＣＨは、上りリンク送信に対するＨＡＲＱ  ＡＣＫ／ＮＡＣＫ信号を送信する。ＰＨＩＣＨは、１つのＲＥＧからなり、セル固有の仕方でスクランブルされる。複数のＰＨＩＣＨを同じＲＥで多重できて、ＰＨＩＣＨ群をコンフォームする。ＰＨＩＣＨ群は、周波数および／または時間領域におけるダイバーシティ利得を得るために３回繰り返される。
【００６０】
ＰＤＣＣＨは、最初の「ｎ」個のＯＦＤＭシンボル中に割り当てられる（ここで「ｎ」は、ＰＣＦＩＣＨによって示される）。ＰＤＣＣＨは、下りリンクおよび上りリンク・スケジューリング情報、下りリンクＡＣＫ／ＮＡＣＫ、電力制御情報などを含みうる下りリンク制御情報（ＤＣＩ：Ｄｏｗｎｌｉｎｋ  Ｃｏｎｔｒｏｌ  Ｉｎｆｏｒｍａｔｉｏｎ）メッセージを含む。ＤＣＩは、複数の制御チャネル要素（ＣＣＥ：Ｃｏｎｔｒｏｌ  Ｃｈａｎｎｅｌ  Ｅｌｅｍｅｎｔ）によって運ばれる。ＣＣＥは、ＣＲＳ、ＰＣＦＩＣＨ、またはＰＨＩＣＨによって占有されない同じＯＦＤＭシンボル中の４つの連続したＲＥからなる。
【００６１】
ＣＣＥには、第１に周波数の昇順および第２に時間の昇順に０から始まる番号が付けられる。最初に、第１のＯＦＤＭシンボル中の最低周波数のＲＥが考慮される。そのＲＥが他のＣＣＥ、ＣＲＳ、ＰＨＩＣＨ、またはＰＣＦＩＣＨによって占有されていなければ、それに番号が付けられる。そうでない場合には、次のＯＦＤＭシンボルに対応する同じＲＥが評価される。すべてのＯＦＤＭシンボルが一旦考慮されると、このプロセスが周波数順にすべてのＲＥに対して繰り返される。
【００６２】
データ領域において参照信号によって占有されないＲＥをｅＰＤＣＣＨまたは物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）に割り当てることができる。
【００６３】
ＵＥは、ＰＤＣＣＨ候補のセットをモニタし、モニタリングとは、そのセット中のそれぞれのＰＤＣＣＨをすべてのモニタされたＤＣＩフォーマットに従って復号しようと試みることを示唆する。モニタすべきＰＤＣＣＨ候補のセットは、サーチスペース（ＳＳ：Ｓｅａｒｃｈ  Ｓｐａｃｅ）の観点から定義され、所定のアグリゲーション・レベルＬにおけるサーチスペース「Ｓｋ（Ｌ）」がＰＤＣＣＨ候補のセットによって定義される。
【００６４】
各ＵＥは、２つのサーチスペース、ＵＥ固有サーチスペース（ＵＳＳ）および共通サーチスペース（ＣＳＳ）をモニタする。ＵＳＳは、専らＵＥに向けた情報を運び、それゆえに関連するＵＥのみがその情報を復号できる。ＵＳＳは、ＵＥごとに異なる。２つ以上の移動局デバイスのＵＳＳが部分的に重なり合うことがありうる。ＣＳＳは、すべてのＵＥに向けた一般情報を含む。すべてのＵＥは、同じ共通サーチスペースをモニタして、その中の情報を復号することが可能である。
【００６５】
図３は、下りリンクＰＲＢの例を示す。ＰＲＢのＲＥのうちのいくつかは、参照信号によって占有される。異なる参照信号は、異なるアンテナポートに関連付けられる。用語「アンテナポート」は、同一のチャネル状態の下での信号送信の意味を伝えるために用いられる。例えば、アンテナポート０で送信される複数の信号は、アンテナポート１とは異なってもよい同じチャネル状態を経験する。
【００６６】
Ｒ０〜Ｒ３は、セル固有ＲＳ（ＣＲＳ）に対応し、ＣＲＳは、ＰＤＣＣＨと同じアンテナポート（アンテナポート０〜３）で送信され、いくつかの送信モード（ＴＭ）においてＰＤＣＣＨで送信されたデータを復調するため、およびＰＤＳＣＨで送信されたデータも復調するためにも用いられる。近接セルへの過度の干渉を回避するために、干渉除去手順を実装できる。
【００６７】
Ｄ１〜Ｄ２は、ｅＰＤＣＣＨと関連付けられたＤＭ−ＲＳに対応する。Ｄ１〜Ｄ２は、アンテナポート１０７〜１１０で送信されて、移動局デバイスがその中でｅＰＤＣＣＨを復調するための復調参照信号としての役割を果たす。ＵＥ固有参照信号は、設定されているときに同じＲＥで（同時にではなく）送信される。ＵＥ固有参照信号は、ポート７〜１４で送信されて、移動局デバイスがその中でＰＤＳＣＨを復調するための復調参照信号としての機能を果たす。
【００６８】
Ｃ１〜Ｃ４は、ＣＳＩ−ＲＳ（チャネル状態情報ＲＳ：Ｃｈａｎｎｅｌ  Ｓｔａｔｅ  Ｉｎｆｏｒｍａｔｉｏｎ  ＲＳ）に対応する。Ｃ１〜Ｃ４は、アンテナポート１５〜２２で送信されて、移動局デバイスがチャネル状態を測定することを可能にする。
【００６９】
図４は、下りリンクＰＲＢの例を示す。この例では、Ｒ６とマーク付けされたＰＲＢのＲＥがポジショニング参照信号（ＰＲＳ）によって占有される。ポジショニング参照信号は、アンテナポート６に関連付けられる。ポジショニング参照信号は、ロケーションサービスをサポートする機能を果たし、通常、特にＰＲＳのために指定されたＰＲＢ中にのみ存在する。
【００７０】
図５は、プライマリ同期信号（ＰＳＳ：ｐｒｉｍａｒｙ  ｓｙｎｃｈｒｏｎｉｚａｔｉｏｎ  ｓｉｇｎａｌ）およびセカンダリ同期信号（ＳＳＳ：ｓｅｃｏｎｄａｒｙ  ｓｙｎｃｈｒｏｎｉｚａｔｉｏｎ  ｓｉｇｎａｌ）をもつＦＤＤ下りリンクサブフレームの構成例を示す。ＰＳＳおよびＳＳＳの対は、以下、ＰＳＳ／ＳＳＳと呼ばれることもある。ＰＳＳは、バンド幅の中央の６つのＰＲＢのＯＦＤＭシンボル＃６におけるＲＥを占有し、ＳＳＳは、バンド幅の中央の６つのＰＲＢのＯＦＤＭシンボル＃５におけるＲＥを占有する。移動局デバイスは、信号を３つの可能なＰＳＳ信号と盲目的に相関させることによってＰＳＳを検出する。ＰＳＳが一旦検出されると、移動局デバイスは、基地局デバイスとの粗い同期を得て、ＳＳＳを復号するためにチャネル推定を行うことが可能である。移動局デバイスは、ＳＳＳによってセルのＩＤとより正確な同期とを得ることができる。
【００７１】
ディスカバリ信号（ＤＳ：ｄｉｓｃｏｖｅｒｙ  ｓｉｇｎａｌ）は、ＰＳＳ、ＳＳＳ、および別の１つ以上の参照信号、例えば、ＣＲＳ、ＣＳＩ−ＲＳ、またはＰＲＳの組み合わせとして構成できる。このために用いられるＰＳＳおよびＳＳＳの位置は、ＦＤＤのための位置と同じとすることができ、または異なってもよい。代わりに、同期対ＰＳＳ／ＳＳＳだけを用いてディスカバリ信号を構成できる。ディスカバリ信号をディスカバリ・バースト中で検出した移動局デバイスは、基地局デバイスによって設定されたそのＲＳＲＰまたはＲＳＲＱの測定に進む。
【００７２】
図６は、上りリンクサブフレームの構成例を示す。上りリンク送信は、ＳＣ−ＦＤＭＡ（シングルキャリア周波数分割多元接続：Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）を通じて行われる。上りリンク・リソースは、ＰＵＳＣＨ（物理上りリンク共有チャネル：Ｐｈｙｓｉｃａｌ  Ｕｐｌｉｎｋ  Ｓｈａｒｅｄ  Ｃｈａｎｎｅｌ）およびＰＵＣＣＨ（物理上りリンク制御チャネル：Ｐｈｙｓｉｃａｌ  Ｕｐｌｉｎｋ  Ｃｏｎｔｒｏｌ  Ｃｈａｎｎｅｌ）のような物理チャネルに割り当てられる。加えて、上りリンク参照信号がＰＤＳＣＨおよびＰＵＣＣＨに対応するであろうリソースの一部で送信される。上りリンク・ワイヤレスフレームは、ＰＲＢペアからなる。ＰＲＢペアは、予め定義された周波数幅（リソースブロックの幅）と時間の長さ（２スロット＝１サブフレーム）とをもつ、基本的なスケジュール可能回路である。
【００７３】
図７は、物理上りリンク・リソースのＰＵＣＣＨおよびＰＵＳＣＨへのアロケーションを示す。ＰＵＣＣＨ  ＰＲＢペアは、異なる周波数アロケーションをもつ２つのスロットからなる。ＰＵＣＣＨ要素「ｍ」がインデックス「ｍ」とともにＰＵＣＣＨ  ＰＲＢペアに割り当てられ、ここで「ｍ」＝０，１，２，３．．．である。
【００７４】
ＬＴＥにおけるデータの送信は、フレーム構造タイプ１（ＦＤＤ）を通じて、および／またはフレーム構造タイプ２（ＴＤＤ）を通じて行うことができる。
【００７５】
ＦＤＤに関しては、各無線フレームにおいて１０個のサブフレームが下りリンク送信に利用可能であり、１０個のサブフレームが上りリンク送信に利用可能である。上りリンクおよび下りリンク送信は、周波数領域で分離される。半二重ＦＤＤ動作では、ＵＥは、送受信を同時に行うことはできず、一方で全二重ＦＤＤではかかる制限は何もない。
【００７６】
ＦＤＤ基地局デバイスに接続された移動局デバイスは、下りリンクＰＤＳＣＨのスケジューリングを示すＰＤＣＣＨメッセージをサブフレーム「ｎ」で受信する。ＰＤＣＣＨメッセージは、他の情報のうちでも特に、ＰＤＳＣＨが位置するＰＲＢを含み、そのＰＤＳＣＨにはＨＡＲＱプロセス番号が割り当てられる。移動局デバイスは、その情報を復号しようと試み、ＦＤＤ  ＨＡＲＱタイミングに従って、受信に成功（ＡＣＫ）もしくは失敗（ＮＡＣＫ）したことを示すＨＡＲＱ  ＡＣＫ／ＮＡＣＫ指標をサブフレーム「ｎ＋４」で基地局デバイスへ送信する。基地局デバイスがＨＡＲＱ−ＡＣＫ指標を受信した場合、基地局デバイスは、ＨＡＲＱプロセス番号を解除して、次にそれを後続のＰＤＳＣＨのために用いることができる。そうではなく、基地局がＨＡＲＱ−ＮＡＣＫ指標を受信した（または指標を何も受信しなかった）場合には、基地局デバイスは、ＰＤＳＣＨをサブフレーム「ｎ＋８」で再び移動局デバイスへ送信しようと試みるであろう。再送信されたメッセージは、同じＨＡＲＱプロセス番号を維持して、移動局デバイスが、新たな再送信を前に受信したデータと結びつけて、受信に成功する尤度を高めることを可能にする。それゆえに、ＦＤＤに関しては、在圏セルごとに最大８つの下りリンクＨＡＲＱプロセスがあるものとする。
【００７７】
図８は、時分割複信モード（ＴＤＤ：Ｔｉｍｅ  Ｄｉｖｉｓｉｏｎ  Ｄｕｐｌｅｘ）におけるＬＴＥ無線フレームの構成を示す。
【００７８】
ＬＴＥ無線フレームは、１０ｍｓの長さを有し、１０個のサブフレームからなる。
【００７９】
各サブフレームは、ｅＮＢによって設定される通り下りリンクまたは上りリンクに用いることができる。下りリンクから上りリンク送信への切り替えは、スイッチポイントとして機能するスペシャルサブフレームを通じて行われる。構成に依存して、無線フレームは、１つのスペシャルサブフレーム（１０ｍｓのスイッチポイント周期）または２つのスペシャルサブフレーム（５ｍｓのスイッチポイント周期）を有することができる。
【００８０】
大部分のケースでは、サブフレーム＃１および＃７が「スペシャルサブフレーム」であり、３つのフィールドＤｗＰＴＳ（下りリンク・パイロット時間スロット：Ｄｏｗｎｌｉｎｋ  Ｐｉｌｏｔ  Ｔｉｍｅ  Ｓｌｏｔ）、ＧＰ（ガード期間：Ｇｕａｒｄ  Ｐｅｒｉｏｄ）およびＵｐＰＴＳ（上りリンク・パイロット時間スロット：Ｕｐｌｉｎｋ  Ｐｉｌｏｔ  Ｔｉｍｅ  Ｓｌｏｔ）を含む。ＤｗＰＴＳは、複数のＯＦＤＭシンボルに及び、下りリンク送信専用である。ＧＰは、複数のＯＦＤＭシンボルに及び、空である。ＧＰは、下りリンクと上りリンクとの間のスムーズな遷移を可能にするためにシステム条件に依存してより長いかまたはより短い。ＵｐＰＴＳは、複数のＯＦＤＭシンボルに及び、上りリンク送信専用である。ＤｗＰＴＳは、プライマリ同期信号（ＰＳＳ）を運ぶ。サブフレーム＃０および＃５は、セカンダリ同期信号（ＳＳＳ）を運び、それゆえに上りリンク送信用には設定できない。サブフレーム＃２は、常に上りリンク送信用に設定される。
【００８１】
図９は、可能な上りリンク−下りリンク設定のリストであり、「Ｕ」はサブフレームが上りリンク送信のために予約されていることを示し、「Ｄ」はサブフレームが下りリンク送信のために予約されていることを示し、「Ｓ」はスペシャルサブフレームを示す。基地局デバイスは、用いられることになる上り下りリンク設定のインデックスを移動局デバイスへ送信する。
【００８２】
基地局デバイスは、第２の上り下りリンク設定インデックスを送信できる。上りリンク−下りリンクの両方が同じ設定を有するサブフレームは、上記のように取り扱われる（それらのサブフレームは、本文書の残りの部分では漠然とレガシー・サブフレームと呼ばれる）。上りリンク−下りリンク設定の両方が異なるサブフレームは、フレキシブルサブフレームであり、上りリンクまたは下りリンクのいずれにも用いることができる。例えば、上りリンク−下りリンク設定１がＵとして設定され、一方で上りリンク−下りリンク設定２がＤまたはＳとして設定される。
【００８３】
この図では現在定義されているような上りリンク−下りリンク設定０から６が示されるが、本発明のいずれの実施形態も起こりうる新しい上りリンク−下りリンク設定に適用可能である。例えば、すべてのサブフレームが下りリンクとして定義された新しい上りリンク−下りリンク設定を導入でき、それを本発明のいずれの実施形態にも容易に適用することができるであろう。別の例は、スペシャルサブフレームとして定義されるサブフレーム＃１を除いて、すべてのサブフレームが下りリンクとして定義された新しい上りリンク−下りリンク設定であろう。例示的な新しい上りリンク−下りリンク設定を上りリンク−下りリンク設定７と名付けることができるであろう、あるいは、他の上りリンク−下りリンク設定から区別するのに役立つように、それに明らかに異なる名前が与えられてもよい。本文書の残りの部分ではある範囲の上りリンク−下りリンク設定への言及がなされる事例がある。それらのケースは、上記のような起こりうる新しい上りリンク−下りリンク設定が当該範囲の一部となることを妨げない。例えば、表現「上りリンク−下りリンク設定１〜６」は、大部分のケースでは「上りリンク−下りリンク設定１〜７」と等価である。
【００８４】
図１０は、移動局デバイス２に対応する移動局デバイスのブロック図である。図に示されるように、移動局デバイスは、上位レイヤ処理回路１０１、制御回路１０３、受信回路１０５、送信回路１０７、およびアンテナ回路１０９を含む。上位レイヤ処理回路１０１は、１つより多いセルがそれらのうちの１つをプライマリセルとし、残りのセルをセカンダリセルとして設定されることをサポートし、無線リソース管理回路１０１１、スケジューリング回路１０１５、およびＣＳＩレポート管理回路１０１７を含む。受信回路１０５は、復号回路１０５１、復調回路１０５３、多重分離回路１０５５、無線受信回路１０５７、およびチャネル推定回路１０５９を含む。送信回路１０７は、符号化回路１０７１、変調回路１０７３、多重回路１０７５、無線送信回路１０７７、および上りリンク参照信号生成発生１０７９を含む。
【００８５】
上位レイヤ処理回路１０１は、受信回路１０５および送信回路１０７の動作を制御するために制御信号を発生させて、それらの信号を制御回路１０３へ出力する。加えて、上部レイヤ処理回路１０１は、ＭＡＣレイヤ（媒体アクセス制御：Ｍｅｄｉｕｍ  Ａｃｃｅｓｓ  Ｃｏｎｔｒｏｌ）、ＰＤＣＰレイヤ（パケットデータ・コンバージェンス・プロトコル：Ｐａｃｋｅｔ  Ｄａｔａ  Ｃｏｎｖｅｒｇｅｎｃｅ  Ｐｒｏｔｏｃｏｌ）、ＲＬＣレイヤ（無線リンク制御：Ｒａｄｉｏ  Ｌｉｎｋ  Ｃｏｎｔｒｏｌ）、およびＲＲＣレイヤ（無線リソース制御）に関連する動作を処理する。
【００８６】
上位レイヤ処理回路１０１における無線リソース管理回路１０１１は、それ自体の動作に関連する設定を管理する。加えて、無線リソース管理回路は、各チャネルで送信されるデータを発生させて、この情報を送信回路１０７へ出力する。
【００８７】
上位レイヤ処理回路１０１におけるスケジューリング回路１０１５は、受信回路１０５によって受信したＤＣＩメッセージに含まれるスケジューリング情報を読み出して、制御情報を制御回路１０３へ出力し、次には制御回路１０３が必要な動作を行うために制御情報を受信回路１０５および送信回路１０７へ送信する。
【００８８】
加えて、スケジューリング回路１０１５は、上りリンク参照設定、下りリンク参照設定および／または送信方向設定に基づいて送信処理および受信処理タイミングを決定する。
【００８９】
上位レイヤ処理回路１０１におけるＣＳＩレポート管理回路１０１７は、ＣＳＩ参照ＲＥを識別する。ＣＳＩレポート管理回路１０１７は、ＣＳＩ参照ＲＥからチャネルのＣＱＩ（チャネル品質情報：Ｃｈａｎｎｅｌ  Ｑｕａｌｉｔｙ  Ｉｎｆｏｒｍａｔｉｏｎ）を導出するようにチャネル推定回路１０５９にリクエストする。ＣＳＩレポート管理回路１０１７は、ＣＱＩを送信回路１０７へ出力する。ＣＳＩレポート管理回路１０１７は、チャネル推定回路１０５９の構成をセットする。
【００９０】
制御回路１０３は、上位レイヤ処理回路１０１から受信した制御情報に基づいて受信回路１０５および送信回路１０７へアドレス指定された制御信号を発生させる。制御回路１０３は、発生した制御信号を通じて受信回路１０５および送信回路１０７の動作を制御する。
【００９１】
受信回路１０５は、制御回路１０３から受信した制御情報に従って、基地局デバイス１からの情報をアンテナ回路１０９経由で受信し、それに対して多重分離、復調および復号を行う。受信回路１０５は、これらの動作の結果を上位レイヤ処理回路１０１へ出力する。
【００９２】
無線受信回路１０５７は、アンテナ回路１０９経由で基地局デバイス１から受信した下りリンク情報をダウンコンバートして、不必要な周波数成分を削除し、信号を十分なレベルにするために増幅を行い、受信信号の同相および直交成分に基づいて、受信したアナログ信号をデジタル信号へ変換する。無線受信回路１０５７は、デジタル信号からガードインターバル（ＧＩ：ｇｕａｒｄ  ｉｎｔｅｒｖａｌ）をトリミングし、周波数領域信号を抽出するためにＦＦＴ（高速フーリエ変換：Ｆａｓｔ  Ｆｏｕｒｉｅｒ  Ｔｒａｎｓｆｏｒｍ）を行う。
【００９３】
多重分離回路１０５５は、抽出された周波数領域信号からＰＨＩＣＨ、ＰＤＣＣＨ、ｅＰＤＣＣＨ、ＰＤＳＣＨ、および下りリンク参照信号を多重分離する。加えて、多重分離回路１０５５は、チャネル推定回路１０５９から受信したチャネル推定値に基づいてＰＨＩＣＨ、ＰＤＣＣＨ、ｅＰＤＣＣＨ、およびＰＤＳＣＨへのチャネル補償を行う。多重分離回路１０５５は、多重分離された下りリンク参照信号をチャネル推定回路１０５９へ出力する。
【００９４】
復調回路１０５３は、ＰＨＩＣＨに対応するコードによって乗算を行い、結果として生じた信号に対してＢＰＳＫ（２相位相シフトキーイング：Ｂｉｎａｒｙ  Ｐｈａｓｅ  Ｓｈｉｆｔ  Ｋｅｙｉｎｇ）復調を行って、結果を復号回路１０５１へ出力する。復号回路１０５１は、移動局デバイス２へアドレス指定されたＰＨＩＣＨを復号して、復号されたＨＡＲＱインジケータを上位レイヤ処理回路１０１へ送信する。復調回路１０５３は、ＰＤＣＣＨおよび／またはｅＰＤＣＣＨに対してＱＰＳＫ（直交位相シフトキーイング：Ｑｕａｄｒａｔｕｒｅ  Ｐｈａｓｅ  Ｓｈｉｆｔ  Ｋｅｙｉｎｇ）復調を行って、結果を復号回路１０５１へ出力する。復号回路１０５１は、ＰＤＣＣＨおよび／またはｅＰＤＣＣＨを復号しようと試みる。復号動作に成功した場合、復号回路１０５１は、下りリンク制御情報および対応するＲＮＴＩを上位レイヤ処理回路１０１へ送信する。
【００９５】
復調回路１０５３は、下りリンク制御グラント指標（ＱＰＳＫ、１６ＱＡＭ（直交振幅変調：Ｑｕａｄｒａｔｕｒｅ  Ａｍｐｌｉｔｕｄｅ  Ｍｏｄｕｌａｔｉｏｎ）、６４ＱＡＭ、２５６ＱＡＭ、その他）によって示されるように移動局デバイス２へアドレス指定されたＰＤＳＣＨを復調して、結果を復号回路１０５１へ出力する。復号回路１０５１は、下りリンク制御グラント指標によって示されるように復号を行って、復号された下りリンク・データ（トランスポートブロック）を上位レイヤ処理回路１０１へ出力する。
【００９６】
チャネル推定回路１０５９は、多重分離回路１０５５から受信した下りリンク参照信号からパスロスおよびチャネル状態を推定して、推定されたパスロスおよびチャネル状態を上位レイヤ処理回路１０１へ出力する。加えて、チャネル推定回路１０５９は、下りリンク参照信号から推定されたチャネル値を多重分離回路１０５５へ出力する。ＣＱＩを計算するために、チャネル推定回路１０５９は、チャネルおよび／または干渉に対する測定を行う。
【００９７】
送信回路１０７は、制御回路１０３から受信した制御情報に従って、上りリンク参照信号を発生させて、上位レイヤ処理回路から受信した上りリンク・データ（トランスポートブロック）に対して符号化および変調を行い、ＰＵＣＣＨ、ＰＵＳＣＨおよび発生した上りリンク参照信号を多重して、それをアンテナ回路１０９経由で基地局１へ送信する。
【００９８】
符号化回路１０７１は、上位レイヤ処理回路１０１から受信した上りリンク制御情報に対してブロック符号化、畳み込み符号化、その他を行う。加えて、符号化回路１０７１は、スケジュールされたＰＵＳＣＨデータに対してターボ符号化を行う。
【００９９】
変調回路１０７３は、基地局デバイス１から受信した下りリンク制御指標か、またはチャネルごとに予め定義された変調規則に従って、符号化回路１０７１から受信した符号化ビットストリームに対して変調（ＢＰＳＫ、ＱＰＳＫ、１６ＱＡＭ、６４ＱＡＭ、２５６ＱＡＭ、その他）を行う。変調回路１０７３は、空間多重を通じて送信するためのＰＵＳＣＨストリームの数を決定し、上りリンク・データをその異なる数のストリームへマッピングして、それらのストリームに対してＭＩＭＯ  ＳＭ（多入力多出力空間多重：Ｍｕｌｔｉｐｌｅ  Ｉｎｐｕｔ  Ｍｕｌｔｉｐｌｅ  Ｏｕｔｐｕｔ  Ｓｐａｔｉａｌ  Ｍｕｌｔｉｐｌｅｘｉｎｇ）プリコーディングを行う。
【０１００】
上りリンク参照信号発生回路１０７９は、移動局デバイス２から送信された信号、上りリンク参照信号を配置するためのバンド幅の値と、上りリンクグラント中に示された巡回シフトと、ＤＭＲＳシーケンス発生に関連するパラメータの値とを基地局デバイス１が見分けることが可能であるように、ＰＣＩ（物理セル識別情報：Ｐｈｙｓｉｃａｌ  Ｃｅｌｌ  Ｉｄｅｎｔｉｔｙ、またはセルＩＤ）による一連の予め定義されたルールに従ってビットストリームを発生させる。多重回路１０７５は、制御回路１０３によって与えられた指標に従ってＰＵＳＣＨ変調シンボルを異なるストリーム中に配列してそれらに対してＤＦＴ（離散的フーリエ変換：Ｄｉｓｃｒｅｔｅ  Ｆｏｕｒｉｅｒ  Ｔｒａｎｓｆｏｒｍ）を行う。加えて、多重回路１０７５は、ＰＵＣＣＨ、ＰＵＳＣＨ、およびそれらの対応するＲＥで発生した参照信号をそれらの適切なアンテナポートにおいて多重する。
【０１０１】
無線送信回路１０７７は、多重された信号に対してＩＦＦＴ（逆高速フーリエ変換：Ｉｎｖｅｒｓｅ  Ｆａｓｔ  Ｆｏｕｒｉｅｒ  Ｔｒａｎｓｆｏｒｍ）を行い、それらに対してＳＣ−ＦＤＭＡ変調（シングルキャリア周波数分割多元接続）を行い、結果として生じたストリームにＧＩを加算し、デジタル・ベースバンド信号を発生させて、デジタル・ベースバンド信号をアナログ・ベースバンド信号に変換し、そのアナログ信号の同相および直交成分を発生させて、それをアップコンバートし、不必要な周波数成分を除去して、電力増幅を行い、結果として生じた信号をアンテナ回路１０９へ出力する。
【０１０２】
図１１は、基地局デバイス１および３に対応する基地局デバイスのブロック図である。図に示されるように、移動局デバイスは、上位レイヤ処理回路３０１、制御回路３０３、受信回路３０５、送信回路３０７、およびアンテナ回路３０９を含む。上位レイヤ処理回路３０１は、基地局デバイス中に存在する１つ以上のセルにサポートを与え、無線リソース管理回路３０１１、スケジューリング回路３０１５、およびＣＳＩレポート管理回路３０１７を含む。受信回路３０５は、復号回路３０５１、復調回路３０５３、多重分離回路３０５５、無線受信回路３０５７、およびチャネル推定回路３０５９を含む。送信回路３０７は、符号化回路３０７１、変調回路３０７３、多重回路３０７５、無線送信回路３０７７、および下りリンク参照信号生成発生３０７９を含む。
【０１０３】
上位レイヤ処理回路３０１は、受信回路３０５および送信回路３０７の動作を制御するために制御信号を発生させて、それらの信号を制御回路３０３へ出力する。加えて、上部レイヤ処理回路３０１は、ＭＡＣレイヤ（媒体アクセス制御）、ＰＤＣＰレイヤ（パケットデータ・コンバージェンス・プロトコル）、ＲＬＣレイヤ（無線リンク制御）、およびＲＲＣレイヤ（無線リソース制御）に関連する動作を処理する。
【０１０４】
上位レイヤ処理回路３０１における無線リソース管理回路３０１１は、下りリンクＰＤＳＣＨ（トランスポートブロック）で送信するための下りリンク・データ、システム情報と、ＲＲＣメッセージと、ＭＡＣ  ＣＥ（制御要素：Ｃｏｎｔｒｏｌ  Ｅｌｅｍｅｎｔ）とを発生させて、その情報を送信回路３０７へ出力する。代わりに、この情報を上位レイヤから取得することもできる。加えて、無線リソース管理回路３０１１は、各移動局デバイスの設定情報を管理する。
【０１０５】
上位レイヤ処理回路３０１におけるスケジューリング回路３０１５は、移動局２から受信したチャネル状態レポートと、チャネル推定回路３０５９から受信したチャネル推定およびチャネル品質パラメータとに従って、物理チャネル（ＰＤＳＣＨおよびＰＵＳＣＨ）の周波数およびサブフレーム・アロケーション、ならびにそれらの適切な符号化率、変調および送信電力を決定する。スケジューリング回路３０１５は、結果として生じたスケジューリングに基づいて受信回路３０５および送信回路３０７を制御するために（例えば、ＤＣＩフォーマット（下りリンク制御情報）をもつ）制御信号を発生させて、それらの信号を制御回路３０３へ出力する。
【０１０６】
スケジューリング回路３０１５は、結果として生じたスケジューリングに基づく物理チャネル（ＰＤＳＣＨおよびＰＵＳＣＨ）に関するスケジューリング情報を運ぶレポートを発生させる。
【０１０７】
上位レイヤ処理３０１におけるＣＳＩレポート管理回路３０１７は、移動局デバイス２のＣＳＩレポートを制御する。ＣＳＩレポート管理回路３０１７は、ＣＱＩをＣＳＩ参照信号ＲＥから導出するための設定情報をアンテナ回路３０９経由で移動局デバイス２へ送信する。
【０１０８】
制御回路３０３は、上位レイヤ処理回路３０１から受信した制御信号に従って受信回路３０５および送信回路３０７を管理するために制御信号を発生させる。制御回路３０３は、これらの信号を受信回路３０５および送信回路３０７へ出力して、それらの動作を制御する。
【０１０９】
受信回路３０５は、制御回路３０３から受信した制御情報に従って、情報を移動局デバイス２からアンテナ回路３０９経由で受信して、その情報に対して多重分離、復調および復号を行う。受信回路３０５は、これらの動作の結果を上位レイヤ処理回路３１０１へ出力する。
【０１１０】
無線受信回路３０５７は、移動局デバイス２からアンテナ回路３０９経由で受信した下りリンク情報をダウンコンバートして、不必要な周波数成分を削除し、信号を十分なレベルにするために増幅を行い、受信信号の同相および直交成分に基づいて、受信したアナログ信号をデジタル信号へ変換する。無線受信回路３０５７は、デジタル信号からガードインターバル（ＧＩ）をトリミングして、周波数領域信号を抽出するためにＦＦＴ（高速フーリエ変換）を行う。
【０１１１】
多重分離回路３０５５は、無線受信回路３０５７からの受信信号のＰＵＣＣＨ、ＰＵＳＣＨおよび参照信号を多重分離する。この多重分離は、上りリンクグラントと、移動局２へ送信された無線リソース・アロケーション情報とに従って行われる。加えて、多重分離回路３０５５は、チャネル推定回路３０５９から受信したチャネル推定値に従ってＰＵＣＣＨおよびＰＵＳＣＨのチャネル補償を行う。加えて、多重分離回路３０５５は、多重分離された上りリンク参照信号をチャネル推定回路３０５９に与える。
【０１１２】
復調回路３０５３は、ＰＵＳＣＨに対してＩＤＦＴ（逆離散フーリエ変換：Ｉｎｖｅｒｓｅ  Ｄｉｓｃｒｅｔｅ  Ｆｏｕｒｉｅｒ  Ｔｒａｎｓｆｏｒｍ）を行い、変調されたシンボルを取得して、上りリンクグラント通知で移動局２へ送信された変調設定に従って、もしくは別の予め定義された設定に従ってＰＵＣＣＨおよびＰＵＳＣＨシンボルごとに復調（ＢＰＳＫ、ＱＰＳＫ、１６ＱＡＭ、６４ＱＡＭ、その他）を行う。復調回路３０５３は、上りリンクグラント通知で移動局２へ送信されたＭＩＭＯ  ＳＭプリコーディング設定に従って、または別の予め定義された設定に従ってＰＵＳＣＨで受信したシンボルを分離する。
【０１１３】
復号回路３０５１は、上りリンクグラント通知で移動局２へ送信された符号化率設定に従って、または別の予め定義された設定に従ってＰＵＳＣＣＨおよびＰＵＳＣＨで受信した上りリンク・データを復号して、結果として生じたストリームを上位レイヤ処理回路３０１へ出力する。再送信されたＰＵＳＣＨのケースでは、復号回路３０５１は、上位処理回路３０１におけるＨＡＲＱバッファ中に保持された符号化ビットを用いて、受信した復調ビットを復号する。チャネル推定回路３０５９は、多重分離回路３０５５から受信した上りリンク参照信号を用いてチャネル状態およびチャネル品質を推定して、この情報を多重分離回路３０５５および上位レイヤプロセス回路３０１へ出力する。
【０１１４】
送信回路３０７は、制御回路３０３から受信した制御情報に従って、下りリンク参照信号を発生させて、制御３０３によって示された場合にディスカバリ信号を準備し、上位レイヤ処理回路３０１から受信したＨＡＲＱインジケータを含んだ下りリンク制御情報を準備して、下りリンク・データの符号化および変調を行い、結果をＰＨＩＣＨ、ＰＤＣＣＨ、ｅＰＤＣＣＨ、ＰＤＳＣＨおよび下りリンク参照信号と多重して、結果として生じた信号をアンテナ回路３０９経由で移動局デバイス２へ送信する。
【０１１５】
符号化回路３０７１は、無線リソース管理回路３０１１によって決定された符号化設定に従って、または別の予め定義された設定に従って上位レイヤ処理３０１から受信したＨＡＲＱインジケータ、下りリンク制御情報および下りリンク・データに対してブロック符号化、畳み込み符号化、ターボ符号化、その他を行う。
【０１１６】
変調回路３０７３は、無線リソース管理回路３０１１によって決定された変調設定に従って、または別の予め定義された設定に従って符号化回路３０７１から受信した符号化ビットストリームに対して変調（ＢＰＳＫ、ＱＰＳＫ、１６ＱＡＭ、６４ＱＡＭ、２５６ＱＡＭ、その他）を行う。
【０１１７】
下りリンク参照信号発生回路３０７９は、いくつかの予め定義されたルールに従って、かつ移動局デバイス２が基地局デバイス１の送信を見分けることを可能にするＰＣＩ（物理セル識別情報）を利用して移動局デバイス２によりよく知られた下りリンク参照信号を発生させる。多重回路３０７５は、各チャネルで変調されたシンボルと、それらの対応するＲＥで発生した下りリンク参照信号とをそれらの適切なアンテナポートにおいて多重する。
【０１１８】
無線送信回路３０７７は、多重されたシンボルに対するＩＦＦＴ（逆高速フーリエ変換）、ＯＦＤＭ変調を行い、ＯＦＤＭシンボルにガードインターバルを加算し、デジタル・ベースバンド信号を発生させて、デジタル・ベースバンド信号をアナログ・ベースバンド信号に変換し、アナログ信号の同相および直交成分を発生させて、それをアップコンバートし、不必要な周波数成分を除去して、電力増幅を行い、結果として生じた信号をアンテナ回路３０９へ出力する。
【０１１９】
制御または情報データの送信に利用可能なリソースの数は、各リソースブロック中に存在する参照信号に依存する。基地局デバイスは、適正なリソース要素マッピングによってこれらのＲＥでのデータの送信を回避するように設定される。
【０１２０】
移動局デバイスは、データを読み出すためにいつでも用いられるリソース要素マッピングを想定する。データは、関連付けられたアンテナポート上でＲＥへ順にマッピングされ、これらのＲＥは、それらがＥＰＤＣＣＨ送信のために割り当てられたＥＲＥＧの一部であり、ＣＲＳにもＣＳＩ−ＲＳにも用いられないことがＵＥによって想定され、かつ「ｌＥＰＤＣＣＨｓｔａｒｔ」によって示される開始ＯＦＤＭシンボル以上のＯＦＤＭシンボル中に位置するという条件を満たす。
【０１２１】
ＰＤＣＣＨ領域において、ＣＣＥは、情報を送信するために４つの利用可能なＲＥを常に有するように定義される。これを行うために、ＣＣＥ設定は、存在するＣＲＳの数またはＰＨＩＣＨの到達範囲に依存していくらかの変化を提示する。結果として、ＰＤＣＣＨメッセージは、常に同じビット数を有する。
【０１２２】
しかしながら、ｅＰＤＣＣＨ／ＰＤＳＣＨ領域ではビット数が可変である。すべての利用可能なＲＥを用いうるためには、基地局移動がそれらのＲＥにデータを収容しなければならない。これは、レートマッチングによって達成される。
【０１２３】
レートマッチング動作は、ターボ符号動作の符号レートを変化させることによって所要サイズのビットストリームを発生させる。レートマッチング・アルゴリズムは、任意のレートを生成することが可能である。ターボ・エンコーダからのビットストリームは、インタリーブ動作とそれに続くビット収集とを経てサーキュラバッファを作り出す。このバッファからビットが選択され、切り詰められて、所望の符号レートをもつ単一のビットストリームを作り出す。
【０１２４】
図１２は、移動局デバイスがＵＳＳおよびＣＳＳにおいてアグリゲーション・レベルごとにモニタする値を含む。アグリゲーション・レベルとは、ＰＤＣＣＨが用いるＣＣＥの数である。移動局デバイスは、アグリゲーション・レベルごとにＰＤＣＣＨ候補の数Ｍ（Ｌ）をモニタする。共通サーチスペースに関しては、Ｌが２つの値Ｌ＝４またはＬ＝８のうちの１つを取ることができる。ＵＥがモニタする候補の数は、Ｌ＝４に対してＭ（Ｌ）＝４およびＬ＝８に対してＭ（Ｌ）＝２である。それぞれのケースのサーチスペースのサイズは、１６ＣＣＥである。
【０１２５】
拡張型ＰＤＣＣＨ（ｅＰＤＣＣＨ）の基本回路は、拡張リソース要素群（ＥＲＥＧ：Ｅｎｈａｎｃｅｄ  Ｒｅｓｏｕｒｃｅ  Ｅｌｅｍｅｎｔ  Ｇｒｏｕｐ）である。ＰＲＢペアのＲＥは、ＤＭＲＳ（復調参照信号：ＤｅＭｏｄｕｌａｔｉｏｎ  Ｒｅｆｅｒｅｎｃｅ  Ｓｉｇｎａｌ）を含みうるＲＥをスキップして、周波数およびＯＦＤＭシンボルの昇順に０〜１５まで周期的に番号が付けられる。ＰＤＳＣＨに適用される同じ送信処理がＤＭＲＳに適用されて、ＵＥが、データを復調できるために必要とする情報を取得することを可能にする。ＥＲＥＧｉは、番号「ｉ」をもつすべてのＲＥからなり、ここでｉ＝０，１，．．．１５である。
【０１２６】
しかしながら、用いることができるＲＥの数は、固定されていない。ＰＤＣＣＨ、ＣＲＳおよびＣＳＩ−ＲＳ（チャネル状態情報参照信号：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）に用いられるＲＥをｅＰＤＣＣＨに用いることはできない。ＣＳＩ−ＲＳは、ＵＥが８つまでのアンテナのチャネル状態を測定することを可能にするために周期的に送信され、スペシャルサブフレーム設定に関しては定義されない。
【０１２７】
制御情報は、拡張ＣＣＥ（ＥＣＣＥ：Ｅｎｈａｎｃｅｄ  ＣＣＥ）で送信され、ＥＣＣＥは、所定の設定に対して各ＥＣＣＥで送信するために利用できるＲＥの数に依存して、４つまたは８つのＥＲＥＧからなる。
【０１２８】
各々が独立して設定可能であり、かつ１、２、４または８つのＰＲＢペアに及ぶ、ｅＰＤＣＣＨセットの１つまたは２つのセットが同時にありうる。ｅＰＤＣＣＨは、ＤＭ−ＲＳとともに、アンテナポート１０７〜１１０で送信される。
【０１２９】
図１３は、ｅＰＤＣＣＨセット「ｉ」のＰＲＢペアにおけるｅＰＤＣＣＨのＥＣＣＥのマッピングを示す（ここで「ｉ」は、０もしくは１のいずれかであり、「ｌ」も「ｌ」≠「ｉ」を満たしつつ０または１のいずれかである）。各ＰＲＢペアは、１６個のＥＲＥＧからなる。すべてのＰＲＢペアのＥＲＥＧを合わせて、ｅＰＤＣＣＨセットのＥＲＥＧであると見做すことができる。１つのＰＲＢペアは、１６個のＥＲＥＧを備え、４つまたは２つのＥＣＣＥを構成できる。図の例では、１つのＥＣＣＥが４つのＥＲＥＧからなと想定されている。
【０１３０】
局在したアロケーションでは、ｅＰＤＣＣＨの各ＥＣＣＥは、単一のＰＲＢペアに属する複数のＥＲＥＧからなる。すべてのＲＥＧが比較的狭いバンド内にあることに起因して、プリコーディングおよびスケジューリングを通じてより高い利益を得ることができる。
【０１３１】
分散したアロケーションでは、ｅＰＤＣＣＨの各ＥＣＣＥは、異なるＰＲＢペアに属する複数のＥＲＥＧからなる。ＲＥＧに対して行われる周波数ホッピングに起因して、周波数ダイバーシティを通じてロバスト性が向上する。
【０１３２】
制御情報の局在または分散したアロケーションを考慮して、ｅＰＤＣＣＨセット０は、（存在する場合に）ｅＰＤＣＣＨセット１を条件付けない。ｅＰＤＣＣＨセット０およびｅＰＤＣＣＨセット１は、局在および／または分散した送信マッピングの任意の組み合わせに関して定義される。
【０１３３】
ＵＥ固有サーチスペースは、ｅＰＤＣＣＨではｅＰＤＣＣＨ  ＵＳＳ（ｅＵＳＳとも呼ばれる）と定義される。各ｅＰＤＣＣＨ−ＰＲＢセットのサーチスペースは、独立して設定される。
【０１３４】
図１４は、ｅＰＤＣＣＨフォーマットごとにｅＰＤＣＣＨを構成するＥＣＣＥの数を含む。ケースＡは、ＤＣＩフォーマット２／２Ａ／２Ｂ／２Ｃ／２Ｄがモニタされ、かつ在圏セルの利用可能な下りリンク・リソースブロックの数が２５以上であるときに、通常のサブフレームおよび通常の下りリンクＣＰに適用されるか、もしくは、ＤＣＩフォーマット２／２Ａ／２Ｂ／２Ｃ／２Ｄがモニタされ、かつ在圏セルの利用可能な下りリンク・リソースブロックの数が２５以上であるときに、スペシャルサブフレーム設定３、４、８をもつスペシャルサブフレームおよび通常の下りリンクＣＰに適用されるか、または、ＤＣＩフォーマット１Ａ／１Ｂ／１Ｄ／１／２／２Ａ／２Ｂ／２Ｃ／２Ｄ／０／４がモニタされるとき、かつ「ｎＥＰＤＣＣＨ」＜１０４のときに、通常のサブフレームおよび通常の下りリンクＣＰに適用されるか、あるいは、ＤＣＩフォーマット１Ａ／１Ｂ／１Ｄ／１／２Ａ／２／２Ｂ／２Ｃ／２Ｄ／０／４がモニタされるとき、かつ「ｎＥＰＤＣＣＨ」＜１０４のときに、スペシャルサブフレーム設定３、４、８をもつスペシャルサブフレームおよび通常の下りリンクＣＰに適用される。そうでない場合には、ケースＢが用いられる。
【０１３５】
特定の移動局デバイスに関する、先に参照された量「ｎＥＰＤＣＣＨ」（ＥＣＣＥで利用できるＲＥＧの数）は、ＥＰＤＣＣＨセットの可能なＥＰＤＣＣＨ送信のために設定されたＰＲＢペアにおける下りリンクＲＥの数として定義され、これらのＲＥは、それらがＰＲＢペアにおける１６個のＥＲＥＧのいずれか１つの一部であり、ＣＲＳにもＣＳＩ−ＲＳにも用いられないことがＵＥによって想定され、かつ開始ＯＦＤＭシンボル以上のＯＦＤＭシンボル「ｌ」（「ｌ」は、「ｌＥＰＤＣＣＨＳｔａｒｔ」以上である）中に位置するという条件を満たす。
【０１３６】
ＤＣＩのフォーマットは、ｅＰＤＣＣＨが送信される目的に依存する。フォーマット０は、通常、上りリンク・スケジューリングおよび上りリンク電力制御のために送信される。フォーマット１は、通常、下りリンクＳＩＭＯ（単一入力多出力：Ｓｉｎｇｌｅ  Ｉｎｐｕｔ  Ｍｕｌｔｉｐｌｅ  Ｏｕｔｐｕｔ）スケジューリングおよび上りリンク電力制御のために送信される。フォーマット２は、通常、下りリンクＭＩＭＯスケジューリングおよび上りリンク電力制御のために送信される。フォーマット３は、通常、上りリンク電力制御のために送信される。フォーマット４は、通常、４つのレイヤまでの上りリンク・スケジューリングのために送信される。
【０１３７】
図１５、本発明によるセルアグリゲーション（キャリアアグリゲーション）処理の例を示す図である。図中、横軸は周波数領域を表し、縦軸は時間領域を表す。示されたセルアグリゲーション処理では、３つの在圏セル（在圏セル１、在圏セル２、および在圏セル３）がアグリゲートされる。複数のアグリゲートされた在圏セルのうちの１つは、プライマリセル（ＰＣｅｌｌ：Ｐｒｉｍａｒｙ  Ｃｅｌｌ）である。プライマリセルは、ＬＴＥにおけるセルと同等の機能を有する在圏セルである。
【０１３８】
プライマリセル以外の在圏セルは、セカンダリセル（ＳＣｅｌｌ：Ｓｅｃｏｎｄａｒｙ  Ｃｅｌｌ）である。セカンダリセルは、プライマリセルよりさらに限定された機能を有し、ＰＤＳＣＨおよび／またはＰＵＳＣＨを送受信するために主に用いられる。例えば、移動局デバイス２は、プライマリセルのみを用いてランダムアクセスを行う。さらに、移動局デバイス２は、セカンダリセルのＰＢＣＨまたはＰＤＳＣＨ上で送信されたページングおよびシステム情報を必ずしも受信しなくてもよい。
【０１３９】
下りリンクにおける在圏セルに対応するキャリアが下りリンク・コンポーネントキャリア（ＤＬ  ＣＣ：Ｄｏｗｎｌｉｎｋ  Ｃｏｍｐｏｎｅｎｔ  Ｃａｒｒｉｅｒ）であり、上りリンクにおける在圏セルに対応するキャリアが上りリンク・コンポーネントキャリア（ＵＬ  ＣＣ：Ｕｐｌｉｎｋ  Ｃｏｍｐｏｎｅｎｔ  Ｃａｒｒｉｅｒ）である。下りリンクにおけるプライマリセルに対応するキャリアが下りリンク・プライマリコンポーネントキャリア（ＤＬ  ＰＣＣ：ｄｏｗｎｌｉｎｋ  ｐｒｉｍａｒｙ  ｃｏｍｐｏｎｅｎｔ  ｃａｒｒｉｅｒ）であり、上りリンクにおけるプライマリセルに対応するキャリアが上りリンク・プライマリコンポーネントキャリア（ＵＬ  ＰＣＣ：ｕｐｌｉｎｋ  ｐｒｉｍａｒｙ  ｃｏｍｐｏｎｅｎｔ  ｃａｒｒｉｅｒ）である。下りリンクにおけるセカンダリセルに対応するキャリアが下りリンク・セカンダリコンポーネントキャリア（ＤＬ  ＳＣＣ：ｄｏｗｎｌｉｎｋ  ｓｅｃｏｎｄａｒｙ  ｃｏｍｐｏｎｅｎｔ  Ｃａｒｒｉｅｒ）であり、上りリンクにおけるセカンダリセルに対応するキャリアが上りリンク・セカンダリコンポーネントキャリア（ＵＬ  ＳＣＣ：ｕｐｌｉｎｋ  ｓｅｃｏｎｄａｒｙ  ｃｏｍｐｏｎｅｎｔ  ｃａｒｒｉｅｒ）である。
【０１４０】
基地局デバイス１は、必然的にＤＬ  ＰＣＣおよびＵＬ  ＰＣＣの両方をプライマリセルとしセットする。さらに、基地局デバイス１は、ＤＬ  ＳＣＣのみ、またはＤＬ  ＳＣＣおよびＵＬ  ＳＣＣの両方をセカンダリセルとしてセットすることが可能である。さらにまた、在圏セルの周波数またはキャリア周波数は、在圏周波数または在圏キャリア周波数と称され、プライマリセルの周波数またはキャリア周波数は、プライマリ周波数またはプライマリキャリア周波数と称され、セカンダリセルの周波数またはキャリア周波数は、セカンダリ周波数またはセカンダリキャリア周波数と称される。
【０１４１】
移動局デバイス２および基地局デバイス１は、最初に１つの在圏セルを用いて通信を開始する。この通信を通じて、基地局デバイス１は、ＲＲＣ信号（無線リソース制御信号：ｒａｄｉｏ  ｒｅｓｏｕｒｃｅ  ｃｏｎｔｒｏｌ  ｓｉｇｎａｌ）を用いることにより移動局デバイス２のための１つのプライマリセルと１つまたは複数のセカンダリセルとのセットを設定する。基地局デバイス１は、セカンダリセルに関してセル・インデックスをセットすることが可能である。プライマリセルのセル・インデックスは、常にゼロである。同じセルのセル・インデックスが複数の移動局デバイス１の間で異なってもよい。基地局デバイス１は、ハンドオーバを用いてプライマリセルを変更するように移動局デバイス２に命令することが可能である。
【０１４２】
在圏セル１がプライマリセルであり、在圏セル２および在圏セル３がセカンダリセルである。在圏セル１（プライマリセル）ではＤＬ  ＰＣＣおよびＵＬ  ＰＣＣの両方がセットされ、在圏セル２（セカンダリセル）ではＤＬ  ＳＣＣ−１およびＵＬ  ＳＣＣ−１の両方がセットされ、在圏セル３（セカンダリセル）ではＤＬ  ＳＣＣ−２のみがセットされる。
【０１４３】
ＤＬ  ＣＣおよびＵＬ  ＣＣで用いられるチャネルは、ＬＴＥと同じチャネル構造を有する。それぞれのＤＬ  ＣＣは、斜線でハッチングした領域で表されるＰＨＩＣＨ、ＰＣＦＩＣＨ、およびＰＤＣＣＨがマッピングされた領域と、点でハッチングした領域で表されるＰＤＳＣＨがマッピングされた領域とを有する。ＰＨＩＣＨ、ＰＣＦＩＣＨ、およびＰＤＣＣＨは、周波数多重および／または時間多重される。ＰＨＩＣＨ、ＰＣＦＩＣＨ、およびＰＤＣＣＨが周波数多重および／または時間多重された領域と、ＰＤＳＣＨがマッピングされた領域とが時間多重される。それぞれのＵＬ  ＣＣでは、灰色領域で表されるＰＵＣＣＨがマッピングされた領域と、水平線でハッチングした領域で表されるＰＵＳＣＨがマッピングされた領域とが周波数多重される。
【０１４４】
セルアグリゲーションにおいては、それぞれの在圏セル（ＤＬ  ＣＣ）で１つまでのＰＤＳＣＨを送信でき、それぞれの在圏セル（ＵＬ  ＣＣ）で１つまでのＰＵＳＣＨを送信できる。図の例では、３つのＤＬ  ＣＣを用いて３つまでのＰＤＳＣＨを同時に送信でき、２つのＵＬ  ＣＣを用いて２つまでのＰＵＳＣＨを同時に送信できる。
【０１４５】
そのうえ、セルアグリゲーションにおいては、プライマリセルにおけるＰＤＳＣＨのための無線リソースのアロケーションを示す情報を含んだ下りリンクアサインメントと、プライマリセルにおけるＰＵＳＣＨのための無線リソースのアロケーションを示す情報を含んだ上りリンクグラントとがプライマリセルのＰＤＣＣＨ上で送信される。セカンダリセルにおけるＰＤＳＣＨのための無線リソースのアロケーションを示す情報を含んだ下りリンクアサインメントと、セカンダリセルでのＰＵＳＣＨのための無線リソースのアロケーションを示す情報を含んだ上りリンクグラントとがそのＰＤＣＣＨで送信される在圏セルが、基地局デバイス１によってセットされる。このセッティングは、複数の移動局デバイスの間で変化してもよい。
【０１４６】
ある一定のセカンダリセルにおけるＰＤＳＣＨのための無線リソースのアロケーションを示す情報を含んだ下りリンクアサインメントと、ＰＵＳＣＨのための無線リソースのアロケーションを示す情報を含んだ上りリンクグラントとが、異なる在圏セルを用いて送信されることになるようにセッティング（以下、セルフスケジューリングと対比して、クロスキャリアスケジューリング）が行われた場合、移動局デバイス２は、このセカンダリセルではＰＤＣＣＨを復号しない。例えば、在圏セル２におけるＰＤＳＣＨのための無線リソースのアロケーションを示す情報を含んだ下りリンクアサインメントと、ＰＵＳＣＨのための無線リソースのアロケーションを示す情報を含んだ上りリンクグラントとが、在圏セル１を用いて送信されることになり（クロスキャリアスケジューリング）、在圏セル３におけるＰＤＳＣＨのための無線リソースのアロケーションを示す情報を含んだ下りリンクアサインメントと、ＰＵＳＣＨのための無線リソースのアロケーションを示す情報を含んだ上りリンクグラントとが、在圏セル３を用いて送信されることになる（セルフスケジューリング）ようにセッティングが行われた場合、移動局デバイス２は、在圏セル１および在圏セル３でＰＤＣＣＨを復号し、在圏セル２ではＰＤＣＣＨを復号しない。
【０１４７】
基地局デバイス１は、在圏セルごとに、下りリンクアサインメントおよび上りリンクグラントがキャリア・インジケータを含むか否かをセットし、キャリア・インジケータは、下りリンクアサインメントおよび上りリンクグラントによってそのＰＤＳＣＨまたはＰＵＳＣＨ無線リソースが割り当てられた在圏セルを示す。ＰＨＩＣＨは、ＰＨＩＣＨがＡＣＫ／ＮＡＣＫを示す対象となる、ＰＵＳＣＨのための無線リソースのアロケーションを示す情報を含んだ上りリンクグラントが送信された在圏セルで送信される。
【０１４８】
基地局デバイス１は、移動局デバイス２のためにセットされたセカンダリセルをＭＡＣ（媒体アクセス制御）ＣＥ（制御要素）を用いて非アクティブ化およびアクティブ化することが可能である。移動局デバイス２は、非アクティブ化されたセルでは物理下りリンクチャネルおよび信号を何も受信せず、物理上りリンクチャネルおよび信号も何も送信せず、非アクティブ化されたセルに関する下りリンク制御情報をモニタしない。移動局デバイス２は、基地局デバイス１によって新たに追加されたセカンダリセルを非アクティブ化されたセルと見做す。プライマリセルは非アクティブ化されないことに留意すべきである。
【０１４９】
ＦＤＤ（周波数分割複信：Ｆｒｅｑｕｅｎｃｙ  Ｄｉｖｉｓｉｏｎ  Ｄｕｐｌｅｘ）ワイヤレス通信システムにおいては、単一の在圏セルに対応するＤＬ  ＣＣおよびＵＬ  ＣＣが異なる周波数で構成される。ＴＤＤ（時分割複信：Ｔｉｍｅ  Ｄｉｖｉｓｉｏｎ  Ｄｕｐｌｅｘ）ワイヤレス通信システムにおいては、単一の在圏セルに対応するＤＬ  ＣＣおよびＵＬ  ＣＣが同じ周波数で構成され、上りリンクサブフレームおよび下りリンクサブフレームが在圏周波数で時間多重される。
【０１５０】
図１６は、ＴＤＤ−ＦＤＤ  ＣＡ（キャリアアグリゲーション）ワイヤレス通信システムにおける無線フレームの構成の例を示す図である。このケースは、本文書では漠然とＴＤＤ−ＦＤＤ  ＣＡ、または単にＴＤＤ−ＦＤＤと呼ばれる。横軸は周波数領域を表し、縦軸は時間領域を表す。白い矩形は、下りリンクサブフレームを表し、斜線でハッチングした矩形は、下りリンクサブフレームを表し、点でハッチングした矩形は、スペシャルサブフレームを表す。各サブフレームに割り当てられた番号（＃ｉ）は、無線フレームにおけるサブフレームの番号である。
【０１５１】
この図では、ＦＤＤ在圏セルとＴＤＤ在圏セルとがアグリゲートされる。ＦＤＤ在圏セルは、すべてのサブフレームが下りリンク送信に用いられる下りリンク用に設定されたバンドと、すべてのサブフレームが上りリンク送信に用いられる上りリンク用に設定された別のバンドとを有する。ＴＤＤ在圏セルは、下りリンクサブフレーム、上りリンクサブフレーム、およびスペシャルサブフレームが時間的に多重された１つだけのバンドを有する。図の例では、ＴＤＤ在圏セルがＵＬ／ＤＬ設定２を用いる。
【０１５２】
ＦＤＤ在圏セルがＰＣｅｌｌであり、ＴＤＤ在圏セルがＳＣｅｌｌである場合、ＰＣｅｌｌは、それ自体のＨＡＲＱタイミングに従い、一方でＳＣｅｌｌは、ＰＣｅｌｌのタイミングに従う。上記の下りリンク・セットのアソシエーションに従う代わりに、ＴＤＤ  ＳＣｅｌｌに接続された移動局デバイスは、ＦＤＤ  ＰＵＣＣＨを通じてメッセージのＨＡＲＱ指標をＦＤＤ  ＨＡＲＱタイミングに従ってＰＣｅｌｌへ送信する。このチャネルが常に利用可能なので、移動局デバイスは、ＨＡＲＱ指標をサブフレーム「ｎ＋４」で送信し、ここで「ｎ」は関連するＰＤＳＣＨの受信が発生したサブフレームを表し、再送信は、サブフレーム「ｎ＋８」で生じることになろう。
【０１５３】
ＴＤＤ在圏セルがＦＤＤ在圏セルとアグリゲートされたケースで生じうる同時ＨＡＲＱプロセスの最大数は、プライマリセルおよびセカンダリセルの設定に依存する。
【０１５４】
特に、ＴＤＤ在圏セルがプライマリセルであるケースは、ＦＤＤセカンダリセルがそのＨＡＲＱタイミングをＴＤＤプライマリセルのＨＡＲＱタイミングに適合させるため、いくつかの課題を提起し、それゆえにＦＤＤ在圏セルにとって現在可能であるのに比べて、より多くのＨＡＲＱプロセスに対処する必要がある。
【０１５５】
図１７は、ディスカバリ信号設定の明示的な指標に用いることができる情報要素（ＩＥ：ｉｎｆｏｒｍａｔｉｏｎ  ｅｌｅｍｅｎｔ）の例を示す。特に、この情報要素は、ＤｉｓｃｏｖｅｒｙＳｉｇｎａｌＭｏｎｉｔｏｒｉｎｇ−Ｃｏｎｆｉｇ−ｒ１２とラベル付けされる。ＩＥのような上位レイヤ・パラメータは、上位レイヤ・シグナリング（またはＲＲＣシグナリング）によって提供される。
【０１５６】
ＤｉｓｃｏｖｅｒｙＳｉｇｎａｌＭｏｎｉｔｏｒｉｎｇ−Ｃｏｎｆｉｇ−ｒ１２は、ディスカバリ信号バーストの位置についての情報をもつパラメータｍｏｎｉｔｏｒｉｎｇＷｉｎｄｏｗと、移動局デバイスが行うと予測されるタイプのＲＲＭ測定によって移動局デバイスを設定するｒｒｍＭｅａｓｕｒｅｍｅｎｔと、ディスカバリ信号の設定についての情報をもつｄｉｓｃｏｖｅｒｙＳｉｇｎａｌＬｉｓｔとを含む。
【０１５７】
パラメータｍｏｎｉｔｏｒｉｎｇＷｉｎｄｏｗは、ＤＳＰｅｒｉｏｄとして設定されたディスカバリ信号バーストの周期のサブフレーム単位での値である、周期と、バーストが及びうるｍａｘＢｕｒｓｔの最大値までのサブフレームの数である、ｂｕｒｓｔＳｉｚｅと、いつ次のバーストが発生することになるかの指標を与えるパラメータである、ｏｆｆｓｅｔとを備える。一例において、ディスカバリ信号は、１００サブフレームの周期で発生して、３サブフレームに及び、次のディスカバリ信号バーストは、ＲＲＣ設定メッセージの３２サブフレーム後に発生しうるであろう。
【０１５８】
パラメータｒｒｍＭｅａｓｕｒｅｍｅｎｔは、ディスカバリ信号に適用されることになるＲＲＭ測定をＲＳＲＰまたはＲＳＲＱとすべきかどうかを移動局に示す。
【０１５９】
パラメータｄｉｓｃｏｖｅｒｙＳｉｇｎａｌＬｉｓｔは、１つ以上の可能なタイプのディスカバリ信号の設定を示して、それらを２つ以上の候補の群で提示する。群が何も設定されない場合には、移動局デバイスは、ディスカバリ信号をモニタしないことが予想される。
【０１６０】
ＩＥ  ＤｉｓｃｏｖｅｒｙＳｉｇｎａｌＣａｎｄｉｄａｔｅＧｒｏｕｐは、ＩＥディスカバリ信号候補によって設定されたディスカバリ信号の少なくとも２つの異なる候補を備える。
【０１６１】
ＩＥ  ＤｉｓｃｏｖｅｒｙＳｉｇｎａｌＣａｎｄｉｄａｔｅは、可能なディスカバリ信号候補の設定を備える。用いるための潜在的に多量のディスカバリ信号がある。本発明のディスカバリ信号のある１つの実施形態においては、ディスカバリ信号の参照信号（ＤｉｓｃｏｖｅｒｙＳｉｇｎａｌ−ＲＳＴｙｐｅ）に、バースト中のディスカバリ信号のサブフレーム位置（ＤｉｓｃｏｖｅｒｙＳｉｇｎａｌ−ＳｕｂｆｒａｍｅＬｏｃａｔｉｏｎ）に、使用中のリソース要素（ＤｉｓｃｏｖｅｒｙＳｉｇｎａｌ−ＲｅｓｏｕｒｃｅＥｌｅｍｅｎｔ）に、ディスカバリ信号の測定および感知された電力（ＤｉｓｃｏｖｅｒｙＳｉｇｎａｌ−ＩｎｃｒｅａｓｉｎｇＰｏｗｅｒ）に、ならびに、ディスカバリ信号バースト周期の周期性に係るディスカバリ信号の周期性（ＤｉｓｃｏｖｅｒｙＳｉｇｎａｌ−Ｐｅｒｉｏｄｉｃｉｔｙ）に基づいて定義された候補がある。
【０１６２】
ＤｉｓｃｏｖｅｒｙＳｉｇｎａｌ−ＲＳＴｙｐｅは、ＰＳＳ信号の存在を示すパラメータ、ＳＳＳ信号の存在を示す、および他の参照信号の存在を示すパラメータを備える。本発明のある１つの実施形態において、可能な追加の参照信号は、何もない（ＰＳＳ／ＳＳＳもしくはそれらのサブセットのみ）か、ＣＲＳ、ＣＳＩ−ＲＳ、またはＰＲＳである。本発明の別の実施形態では、ＰＳＳ／ＳＳＳは、ディスカバリ信号に固有であると見做され、それらの存在を示すためにパラメータは何も定義されない。本発明の別の実施形態では、ビットマップまたは２つ以上の適切なパラメータによって、１つより多い追加の参照信号タイプを同じ信号中に設定できる。
【０１６３】
ＤｉｓｃｏｖｅｒｙＳｉｇｎａｌ−ＳｕｂｆｒａｍｅＬｏｃａｔｉｏｎは、パラメータｏｆｆｓｅｔを備え、ｏｆｆｓｅｔは、本発明の一実施形態においてディスカバリ信号候補を送信できるディスカバリ信号バーストのサブフレームを指し示す。本発明の別の実施形態では、１つより多いこれらの値があり、指し示されたサブフレームのうちのいずれかまたはすべてにおいてディスカバリ信号候補を送信することが可能である。
【０１６４】
ＤｉｓｃｏｖｅｒｙＳｉｇｎａｌ−ＲｅｓｏｕｒｃｅＥｌｅｍｅｎｔは、パラメータｒｅｓｏｕｒｃｅＥｌｅｍｅｎｔを備え、パラメータｒｅｓｏｕｒｃｅＥｌｅｍｅｎｔは、ディスカバリ信号によって用いられることになるリソース要素の複数の選択肢のうちの１つを設定する。本発明の一実施形態においては、ディスカバリ信号は、ＰＳＳ／ＳＳＳおよびＣＳＩ−ＲＳを用いる。パラメータｒｅｓｏｕｒｃｅＥｌｅｍｅｎｔは、ＣＳＩ−ＲＳが中にありうるリソース要素のうちのどれがディスカバリ信号中で実際に用いられるかを示す（例えば、リソース要素のサブセクション、もしくはすべて、または何もないなど）。
【０１６５】
ＤｉｓｃｏｖｅｒｙＳｉｇｎａｌ−ＩｎｃｒｅａｓｉｎｇＰｏｗｅｒは、電力閾値を与えるパラメータを備え、電力閾値を超えると、信号は、設定された候補に肯定的に一致すると見做すことができる。
【０１６６】
ＤｉｓｃｏｖｅｒｙＳｉｇｎａｌ−Ｐｅｒｉｏｄｉｃｉｔｙは、ディスカバリ信号のためのディスカバリ信号バースト周期に周期性の閾値を与えるパラメータを備える。休止セルのディスカバリ信号の周期が設定されたパラメータ以下である場合、ディスカバリ信号は、設定された候補に肯定的に一致すると見做すことができる。
【０１６７】
ＩＥ  ＭｅａｓＯｂｊｅｃｔＥＵＴＲＡは、ＲＲＭ測定が行われる測定条件（例えば、周波数、バンド幅など）を定義する。ブラックリストは、検出された場合に移動局デバイスがＲＲＭ測定を行うべきでない在圏セルのセルＩＤによって定義される。ある一定のセルに対する測定ｏｆｆｓｅｔの必要性に対応するために随意的なセルリストも定義される。このリストは、それらのセル上での測定に適用されるべきセルＩＤおよびｏｆｆｓｅｔを含む。
【０１６８】
ＩＥ  ＲｅｐｏｒｔＣｏｎｆｉｇＥＵＴＲＡは、Ｅ−ＵＴＲＡ測定レポーティング・イベントをトリガするための判定基準を指定する。Ｅ−ＵＴＲＡ測定レポーティング・イベントは、１、２などに等しいＮを用いてＡＮとラベル付けされる。
【０１６９】
イベントＡ１：在圏セルが絶対閾値より良くなる。
【０１７０】
イベントＡ２：在圏セルが絶対閾値より悪くなる。
【０１７１】
イベントＡ３：隣接セルがＰＣｅｌｌより良いｏｆｆｓｅｔ量になる。
【０１７２】
イベントＡ４：隣接セルが絶対閾値より良くなる。
【０１７３】
イベントＡ５：ＰＣｅｌｌが絶対閾値１より悪くなり、隣接セルが別の絶対閾値２より良くなる。
【０１７４】
イベントＡ６：隣接セルがＳＣｅｌｌより良いｏｆｆｓｅｔ量になる。
【０１７５】
ＩＥ  ＲｅｐｏｒｔＣｏｎｆｉｇＥＵＴＲＡにおいてそれぞれのイベントと関連付けられた閾値（単数または複数）は、ＲＲＣ設定を通じて別々に設定される。すべての実施形態において記載されるセル検出は、測定レポーティングに基づくことができる。例えば、ＵＥは、Ｅ−ＵＴＲＡ測定レポーティング・イベントのうちの１つがその信号に対してトリガされたときに、セルが検出されたと想定できる。
【０１７６】
ＩＥ  ＭｅａｓＯｂｊｅｃｔＥＵＴＲＡおよびＲｅｐｏｒｔＣｏｎｆｉｇＥＵＴＲＡにおいて指定された方法および判定基準は、ディスカバリ信号に適用可能である。本発明の一実施形態においては、すべてのディスカバリ信号候補に対して唯一の閾値が定義される。本発明の別の実施形態では、各ディスカバリ信号候補は、異なる閾値が設定され、これは、これらの閾値のうちのいくつかが同じ値に設定されることを妨げない。例として、ＩＥ  ＭｅａｓＯｂｊｅｃｔＥＵＴＲＡは、ＲＲＭ測定が行われるディスカバリ信号測定条件を備えるように修正される。ブラックリストは、それらのディスカバリ信号が検出された場合には移動局デバイスがＲＲＭ測定を行うべきではない在圏セルのセルＩＤを用いて定義される。ある一定のセルに対する測定ｏｆｆｓｅｔの必要性に対応するために随意的なセルリストも定義される。このリストは、それらのセルのディスカバリ信号の測定に適用されるべきセルＩＤおよびｏｆｆｓｅｔを含む。
【０１７７】
図１８は、ディスカバリ信号検出を通じて移動局デバイスにより推測される、休止セルｏｎ／ｏｆｆ設定の想定についての決定のためのフロー図を示す。
【０１７８】
この図は、２つだけの状態を示すが、いくつかのケースでは状態のセットに依存して３つ、４つ、またはそれ以上の異なる結果がある。この図は、それらのケースにも用いられ、多数の可能な状態に対応するためのその拡張は、些細な課題であると理解される。代わりに、それらのケースは、状態１が単一の状態に対応し、状態２がすべての残りの状態を一緒にしたバンドルに対応する、一連の２値状態であると考えることができる。状態２が選ばれた場合、バンドルされた状態のうちの１つを新しい状態１として、残りの状態を新しいバンドルされた状態２として用いてプロセスが繰り返される。単一の状態に達するまで、このプロセスが反復される。
【０１７９】
移動局デバイスは、設定された閾値を超えるＲＳＲＰまたはＲＳＲＱレベルをもつディスカバリ信号をモニタして、次にそれらの信号が検出されたと見做し、本明細書に記載される状態をチェックする。フロー図に示される休止セルｏｎ／ｏｆｆ設定の想定１、２、．．．は、状態がチェックされる度に異なりうる。代わりに、移動局デバイスは、異なるディスカバリ信号候補ごとに異なる閾値が設定されてもよく、そのケースではディスカバリ信号が検出されたと見做すか否かの決定は、ディスカバリ信号候補を一致させるために設定された閾値に依存する。
【０１８０】
本発明の一実施形態においては、移動局デバイスは、同じディスカバリ信号候補群に属する２つの候補ディスカバリ信号が設定される。移動局デバイスは、第１の設定されたディスカバリ信号候補に一致するディスカバリ信号が受信された場合には、休止セルがｏｎおよびｏｆｆ状態の間の遷移時間内にあるか、または間もなくウェイクアップしてｏｎ状態に入ろうとしていると想定し、第２の設定されたディスカバリ信号候補に一致するディスカバリ信号が受信された場合には、休止セルが不確定な時間にわたって休止したままであろうと想定する。代わりに、移動局デバイスは、それぞれがそれらの設定によって残ったｏｆｆ時間の見当を示す、３つ以上のディスカバリ信号候補信号が設定されてもよい。
【０１８１】
本発明の一実施形態においては、基地局デバイスは、ｏｆｆ状態においてのみディスカバリ信号を送信する。本発明の別の実施形態では、基地局デバイスは、その状態に係らずディスカバリ信号を送信する。本発明の別の実施形態では、基地局デバイスは、基地局デバイスがｏｆｆ状態にあり、すぐにはウェイクアップしないであろうときに、第１の設定されたディスカバリ信号候補を送信し、基地局デバイスは、遷移時間中に第２の設定されたディスカバリ信号候補を送信し、基地局デバイスは、ｏｎ状態の間には第３の設定されたディスカバリ信号候補を送信する。本発明の別の実施形態では、基地局デバイスは、遷移時間中およびｏｎ状態の時間中に第２の設定されたディスカバリ信号候補を送信する。本発明の別の実施形態では、基地局デバイスは、遷移時間中に第１および第２の設定されたディスカバリ信号候補を送信し、オン状態の間には第２の設定されたディスカバリ信号候補だけを送信する。移動局デバイスは、これらの振舞いのうちの１つ以上をサポートするように構成されることが予想される。
【０１８２】
本発明のある１つの実施形態において、特定のディスカバリ信号候補に一致するディスカバリ信号の検出から、基地局デバイスがｏｎ状態へのその遷移を完了するまでのサブフレーム単位での正確な残り時間は、既知であり、「ｒｅｍａｉｎｉｎｇ＿ｔｉｍｅ」に等しい。基地局デバイスは、ｏｆｆ状態からｏｎ状態へ完全に切り替えるために必要な時間（「ｔｒａｎｓｉｔｉｏｎ＿ｔｉｍｅ」）を認識し、基地局デバイスは、ディスカバリ信号バーストのタイミングも認識しており、基地局デバイスは、関連するディスカバリ信号候補タイプのディスカバリ信号の送信に先立って、遷移プロセス「ｔｒａｎｓｉｔｉｏｎ＿ｔｉｍｅ−ｒｅｍａｉｎｉｎｇ＿ｔｉｍｅ」サブフレームを開始する。
【０１８３】
本発明のある１つの実施形態において、移動局デバイスは、そのディスカバリ信号が、良好な測定されたＲＲＭを有し、かつ第２の設定されたディスカバリ信号候補、第３の設定されたディスカバリ信号候補、またはそれ以降に一致する検出された休止セルに関して、情報をプライマリセルへ送信してもよく、その代わりに、移動局デバイスが第１の設定されたディスカバリ信号候補に一致するディスカバリ信号を検出した場合には、移動局デバイスは、その在圏セルに対応するＰＤＣＣＨ／ＥＰＤＣＣＨのモニタリングを開始してもよい。移動局デバイスは、第１の設定されたディスカバリ信号候補が一致する検出されたディスカバリ信号が、検出されたディスカバリ信号のうちで最も高いＲＲＭ測定値を有する場合にそうしてもよい。本発明の別の実施形態では、ｏｆｆｓｅｔは、それらの測定されたＲＲＭがすべての検出されたディスカバリ信号のうちで最も高くはないときでも、第１の設定されたディスカバリ信号候補に一致するディスカバリ信号にプライオリティを与えるために設定されるか、または予め決定される。代わりに、第２の設定されたディスカバリ信号候補またはそれ以降に一致するディスカバリ信号にプライオリティを与えるためにｏｆｆｓｅｔを設定するか、または予め決定することができるであろう。
【０１８４】
本発明のある１つの実施形態において、第１の設定されたディスカバリ信号候補は、参照信号のある一定の組み合わせが設定され、一方で第２の設定されたディスカバリ信号候補は、参照信号の異なる組み合わせが設定され、後続のディスカバリ信号候補は、参照信号の異なる組み合わせが設定される。移動局デバイスは、すべての可能なディスカバリ信号候補を検索して、検出されたＲＳが一致するディスカバリ信号候補に従って休止セルｏｎ／ｏｆｆ設定について想定を行う。
【０１８５】
本発明の別の実施形態では、第１の設定されたディスカバリ信号候補は、移動局デバイスにより１つ以上のディスカバリ信号バースト・サブフレームのサブセットにおいて予想され、第２の設定されたディスカバリ信号候補は、サブフレームの異なるサブセットにおいて予想され、第３の設定されたディスカバリ信号候補およびそれ以降は、異なるサブフレームにおいて予想される。移動局デバイスは、すべての可能なディスカバリ信号候補をモニタして、検出されたＲＳが対応するディスカバリ信号候補に従って休止セルｏｎ／ｏｆｆ設定について想定を行う。
【０１８６】
本発明の別の実施形態では、ディスカバリ信号候補間の区別は、それらのＲＥマッピングに依存する。第１の設定されたディスカバリ信号候補は、移動局デバイスによって、ＲＳを送信できる可能なリソース要素のサブセット中にディスカバリ信号ＲＳを有すると予想される。第２の設定されたディスカバリ信号候補およびそれ以降は、ＲＳを送信できる可能なリソース要素の異なるサブセット中にＲＳを有すると予想される。異なるディスカバリ信号候補のために設定されたリソース要素のサブセットのそれぞれの可能なペア間に共通のリソース要素があってもよい。本発明の別の実施形態では、ある１つのリソース要素は、１つのディスカバリ信号候補に対応するサブセットにのみ属することができる。移動局デバイスは、すべての可能なディスカバリ信号候補をモニタして、検出されたＲＳが対応するディスカバリ信号候補に従って休止セルｏｎ／ｏｆｆ設定について想定を行う。
【０１８７】
本発明の別の実施形態では、休止セルは、アクティブになるべき時間が近づくにつれて、それらのディスカバリ信号の送信電力を次第に増加させる。移動局デバイスは、測定されたＲＲＭがある一定の閾値を超えた場合に、検出されたディスカバリ信号が、第１の設定されたディスカバリ信号候補に一致すると見做す。複数のディスカバリ信号候補をこのように設定できて、移動局デバイスは、検出されたディスカバリ信号が、設定されたディスカバリ信号候補のうちの１つに一致すると見做し、場合によっては種々のｏｎ／ｏｆｆ設定を想定する。
【０１８８】
本発明の別の実施形態では、１つだけの候補が設定されて、移動局デバイスは、設定されたディスカバリ信号候補にそのディスカバリ信号が一致するセルに対して所定の設定を想定する。
【０１８９】
本発明の別の実施形態では、休止セルのセットが、ディスカバリ信号バーストの周期の倍数である周期でそれらのディスカバリ信号を送信する。休止セルは、アクティブになるべき時間が近づくにつれてその周期を増加させる。複数のディスカバリ信号候補が設定された移動局デバイスは、設定されたディスカバリ信号候補のうちの１つにそのディスカバリ信号が一致するセルに対して設定セットを想定する。
【０１９０】
本発明の別の実施形態では、１つだけの候補が設定されて、移動局デバイスは、設定されたディスカバリ信号候補にそのディスカバリ信号が一致するセルに対して所定の設定を想定する。
【０１９１】
本発明の別の実施形態では、異なる設定をもつ設定された異なる候補群がある。移動局デバイスは、それらのすべてをモニタして、検出されたディスカバリ信号が一致するディスカバリ信号候補に基づいて想定を行う。
【０１９２】
上記のディスカバリ信号候補の設定およびそれらの組み合わせが限定なしに同じディスカバリ信号候補群内に備えられてもよい。例えば、第１の設定されたディスカバリ信号候補がＣＲＳを用いて、バースト内のサブフレームの第１のサブセットで送信されてもよく、一方で第２の設定されたディスカバリ信号候補がＣＲＳ−ＲＳを用いて、バースト内のサブフレームの第２のサブセットで送信されてもよい。加えて、第３の設定されたディスカバリ信号がＰＲＳを用いて、ディスカバリ信号バーストのいずれかのサブフレームで送信されてもよい（すなわち、異なる設定のディスカバリ信号候補が他と同じサブフレーム（単数または複数）で送信されてもよく、それらの他のディスカバリ信号候補間を主に区別するのはそれらのサブフレーム位置である）。別の例では、第１の設定されたディスカバリ信号候補は、ＣＲＩ−ＲＳおよび可能なＣＳＩ−ＲＳリソース要素のサブセットが設定されてもよく、第２の設定されたディスカバリ信号候補は、ＣＲＩ−ＲＳおよび可能なリソース要素の異なるサブセットが設定されてもよく、第３の設定されたディスカバリ信号候補は、ＰＲＳが設定されてもよい。
【０１９３】
本発明の別の実施形態では、パラメータｍｏｎｉｔｏｒｉｎｇＷｉｎｄｏｗは、ＩＥ  ＤｉｓｃｏｖｅｒｙＳｉｇｎａｌＣａｎｄｉｄａｔｅＧｒｏｕｐ内のパラメータである。異なる候補群は、異なる周期性、ディスカバリ信号バースト・サイズ、および／またはｏｆｆｓｅｔに従って送信される。
【０１９４】
代わりに、ディスカバリ信号候補の上記のいずれのセットも基地局デバイスがそれらの値を移動局デバイスに対して設定する必要なしに、固定し、予め定義することができるであろう。
【０１９５】
本発明のある１つの実施形態において、移動局デバイスは、ある一定の休止セルｏｎ／ｏｆｆ想定の下で休止アクティブセルのＰＤＣＣＨ／ＥＰＤＣＣＨのモニタリングを開始する。例えば、ＵＥは、短時間でアクティブになろうとしている休止セルのＰＤＣＣＨ／ＥＰＤＣＣＨのモニタリングを開始する。
【０１９６】
代わりに、移動局デバイスは、第１の設定された信号候補を検出した後に所定の時間待機して、そのセルのためのＰＤＣＣＨ／ｅＰＤＣＣＨのモニタリングを開始する。
【０１９７】
移動局デバイスは、ＤｉｓｃｏｖｅｒｙＳｉｇｎａｌＭｏｎｉｔｏｒｉｎｇ−Ｃｏｎｆｉｇ−ｒ１２が設定され、かつＤｉｓｃｏｖｅｒｙＳｉｇｎａｌＣａｎｄｉｄａｔｅ１によって示されるディスカバリ信号が検出された場合には、移動局デバイスがＰＤＣＣＨ／ｅＰＤＣＣＨをモニタしないものとする。
【０１９８】
移動局デバイスは、ＤｉｓｃｏｖｅｒｙＳｉｇｎａｌＭｏｎｉｔｅｒｉｎｇ−Ｃｏｎｆｉｇ−ｒ１２が設定され、かつＤｉｓｃｏｖｅｒｙＳｉｇｎａｌＣａｎｄｉｄａｔｅ０によって示されるディスカバリ信号が検出された場合には、移動局デバイスがＰＤＣＣＨ／ｅＰＤＣＣＨをモニタするものとする。
【０１９９】
本発明の別の実施形態では、移動局デバイスは、第１の設定されたディスカバリ信号候補が検出された場合には、セル検出およびハンドオーバのためのレガシー手順を開始する。
【０２００】
移動局デバイスは、ＤｉｓｃｏｖｅｒｙＳｉｇｎａｌＭｏｎｉｔｅｒｉｎｇ−Ｃｏｎｆｉｇ−ｒ１２が設定され、かつＤｉｓｃｏｖｅｒｙＳｉｇｎａｌＣａｎｄｉｄａｔｅ０によって示されるディスカバリ信号が検出された場合には、ＵＥがレガシー手順（例えば、ＰＳＳ／ＳＳＳ／ＣＲＳ検出）を行うものとする。
【０２０１】
本発明の別の実施形態では、移動局デバイスのＲＲＭレポートは、検出された休止セルｏｎ／ｏｆｆ想定に依存して異なる。
【０２０２】
移動局デバイスは、ＤｉｓｃｏｖｅｒｙＳｉｇｎａｌＭｏｎｉｔｏｒｉｎｇ−Ｃｏｎｆｉｇ−ｒ１２が設定され、かつＤｉｓｃｏｖｅｒｙＳｉｇｎａｌＣａｎｄｉｄａｔｅ１によって示されるディスカバリ信号が検出された場合には、移動局デバイスがスモールセルのＲＲＭ測定結果をレポートするものとする。
【０２０３】
移動局デバイスは、ＤｉｓｃｏｖｅｒｙＳｉｇｎａｌＭｏｎｉｔｏｒｉｎｇ−Ｃｏｎｆｉｇ−ｒ１２が設定され、かつＤｉｓｃｏｖｅｒｙＳｉｇｎａｌＣａｎｄｉｄａｔｅ０によって示されるディスカバリ信号が検出された場合には、移動局デバイスがレガシー手順を用いて（例えば、ＣＲによって）ＲＲＭ（ＲＳＲＰ／ＲＳＲＱ）を測定するものとする。
【０２０４】
本発明による基地局デバイスおよび移動局デバイスにおいて動作するプログラムは、本発明による上記の実施形態の機能を実現すべくＣＰＵ（中央処理装置：Ｃｅｎｔｒａｌ  Ｐｒｏｃｅｓｓｉｎｇ  Ｕｎｉｔ）などを制御するためのプログラム（コンピュータを機能させるプログラム）であってもよい。これらのデバイスで取り扱われる情報は、情報の処理の間にＲＡＭ（ランダムアクセスメモリ：Ｒａｎｄｏｍ  Ａｃｃｅｓｓ  Ｍｅｍｏｒｙ）に一時的に記憶され、その後、フラッシュＲＯＭ（リードオンリメモリ：Ｒｅａｄ  Ｏｎｌｙ  Ｍｅｍｏｒｙ）のような様々な種類のＲＯＭまたはＨＤＤ（ハードディスク装置：Ｈａｒｄ  Ｄｉｓｋ  Ｄｒｉｖｅ）に記憶されて、必要に応じてＣＰＵによって読み出され、修正されるか、または書き込まれる。
【０２０５】
上記の実施形態による移動局デバイスおよび基地局デバイスの一部は、コンピュータによって実装されてもよい。その場合、この制御機能を実装するためのプログラムをコンピュータ可読記録媒体上に記録してもよく、コンピュータシステムが記録媒体上に記録されたプログラムを読み出して実行するようにしてもよい。
【０２０６】
本明細書では、「コンピュータシステム」は、移動局デバイスまたは基地局デバイスのそれぞれに含まれるコンピュータシステムであり、ＯＳおよび周辺デバイスなどのハードウェアを含む。「コンピュータ可読記録媒体」は、フレキシブルディスク、光磁気ディスク、ＲＯＭ、またはＣＤ−ＲＯＭのような携帯用媒体、またはコンピュータシステムに含まれるハードディスクのような記憶装置である。
【０２０７】
そのうえ、「コンピュータ可読記録媒体」は、プログラムを短時間にわたって動的に保持するもの、例えば、インターネットのようなネットワーク経由でプログラムを送信するために用いられる通信回線、または電話線のような通信回線、およびプログラムをある一定の期間にわたって保持するもの、例えば、この場合にサーバまたはクライアントとしての機能を果たすコンピュータシステムにおける揮発性メモリも含んでもよい。さらに、上記のプログラムは、上記の機能のうちのいくつかを実装してもよく、またはコンピュータシステム上に既に記録されたプログラムと上記の機能を組み合わせることによって実装されてもよい。
【０２０８】
そのうえ、上記の実施形態における移動局デバイスおよび基地局デバイスの一部またはすべてが、典型的に集積回路であるＬＳＩとして、またはチップセットとして実装されてもよい。移動局デバイスおよび基地局デバイスの個々の機能ブロックが複数のチップ中に個別に形成されてもよく、またはいくつかまたはすべての機能ブロックが１つのチップ中に集積化されてもよい。集積回路を形成するための方法は、ＬＳＩには限定されず、専用回路または汎用プロセッサによって実装されてもよい。半導体技術の進歩がＬＳＩを置き換える集積化技術を生み出す場合には、その技術による集積回路が用いられてもよい。
【０２０９】
本発明のいくつかの実施形態が図面を参照して詳細に記載されたが、具体的な構成は、上記の構成には限定されず、本発明の要点から逸脱することなく様々な設計修正などを行うことができる。
【符号の説明】
【０２１０】
１  基地局デバイス
２  移動局デバイス
３  ＰＤＣＣＨ／ｅＰＤＣＣＨ
４  下りリンク・データ送信
５  物理上りリンク制御チャネル
６  下りリンク・データ送信
７  ディスカバリ信号
１０  休止基地局デバイス
１０１  上位レイヤ処理回路
１０１１  無線リソース管理回路
１０１５  スケジューリング回路
１０１７  ＣＳＩレポート管理回路
１０３  制御回路
１０５  受信回路
１０５１  復号回路
１０５３  復調回路
１０５５  多重分離回路
１０５７  無線受信回路
１０５９  チャネル推定回路
１０７  送信回路
１０７１  符号化回路
１０７３  変調回路
１０７５  多重回路
１０７７  無線送信回路
１０７９  上りリンク参照信号発生回路
１０９  アンテナ回路
３０１  上位レイヤ処理回路
３０１１  無線リソース管理回路
３０１５  スケジューリング回路
３０１７  ＣＳＩレポート管理回路
３０３  制御回路
３０５  受信回路
３０５１  復号回路
３０５３  復調回路
３０５５  多重分離回路
３０５７  無線受信回路
３０５９  チャネル推定回路
３０７  送信回路
３０７１  符号化回路
３０７３  変調回路
３０７５  多重回路
３０７７  無線送信回路
３０７９  上りリンク参照信号発生回路
３０９  アンテナ回路
【図１】
2017513289.tif 000003
【図２】
2017513289.tif 000004
【図３】
2017513289.tif 000005
【図４】
2017513289.tif 000006
【図５】
2017513289.tif 000007
【図６】
2017513289.tif 000008
【図７】
2017513289.tif 000009
【図８】
2017513289.tif 000010
【図９】
2017513289.tif 000011
【図１０】
2017513289.tif 000012
【図１１】
2017513289.tif 000013
【図１２】
2017513289.tif 000014
【図１３】
2017513289.tif 000015
【図１４】
2017513289.tif 000016
【図１５】
2017513289.tif 000017
【図１６】
2017513289.tif 000018
【図１７】
2017513289.tif 000019
【図１８】
2017513289.tif 000020
【国際調査報告】
2017513289.tif 000021